(57)【要約】  本発明は、顆粒状洗濯洗剤組成物と組み合わせるのに特に有用な、高い水溶性を有する視覚的に対比する審美剤粒子に関する。
2015524015.tif 000002
【特許請求の範囲】
【請求項１】
粒子状洗濯洗剤組成物であって、高比率の白色又は有色の外観を有する洗剤粒子と、低比率の視覚的に対比する審美剤粒子とを含み、前記視覚的に対比する審美剤粒子が、１つ以上の脂肪酸と、ナトリウムモンモリロナイト粘土と、カルシウムモンモリロナイト粘土とを含み、前記視覚的に対比する審美剤粒子が、本明細書に定義する溶解試験に供したときに約１５％未満の残渣しか残らない、組成物。
【請求項２】
前記視覚的に対比する審美剤粒子が、規則的な形状を有する、請求項１に記載の組成物。
【請求項３】
前記視覚的に対比する審美剤粒子が、均一なサイズ及び形状を有する、請求項１又は２に記載の組成物。
【請求項４】
前記視覚的に対比する審美剤粒子が、白色又は淡色の洗剤粒子に対して明確な対比を有する鮮やかな色の材料で作製される、請求項１〜３のいずれかに記載の組成物。
【請求項５】
前記視覚的に対比する審美剤粒子が、高反射性材料で作製される、請求項１〜４のいずれかに記載の組成物。
【請求項６】
５重量％〜９０重量％の洗剤活性物質と、０重量％〜８０重量％の洗浄ビルダーと、０．０２重量％〜３重量％の前記視覚的に対比する審美剤粒子と、任意で〜１００重量％の他の洗剤成分とを含む、請求項１〜５のいずれかに記載の組成物。
【請求項７】
前記脂肪酸が、前記組成物中の脂肪酸の合計重量に基づいて、少なくとも５０重量％のオレイン酸である、請求項１〜６のいずれかに記載の組成物。
【請求項８】
水に有色の水溶性染料又は水溶性顔料を添加する方法であって、１つ以上の脂肪酸とナトリウムモンモリロナイト粘土と、カルシウムモンモリロナイト粘土とを含む粒子に前記有色の染料又は顔料を添加して有色粒子を形成し、次いで、前記有色粒子と水とを接触させて、前記粒子の一部を前記水に可溶化させることにより、前記有色の染料又は顔料を前記水に添加することを含む、方法。
【請求項９】
前記粒子が、規則的な形状を有する、請求項８に記載の方法。
【請求項１０】
前記粒子が、均一なサイズ及び形状を有する、請求項８又は９に記載の方法。
【請求項１１】
前記粒子が、水に対して明確な対比を有する鮮やかな色の材料で作製される、請求項８〜１０のいずれかに記載の方法。
【請求項１２】
前記視覚的に対比する審美剤粒子が、高反射性材料で作製される、請求項８〜１１のいずれかに記載の方法。
【請求項１３】
前記粒子を、約５重量％〜９０重量％の洗剤活性物質と、０重量％〜８０重量％の洗浄ビルダーと、０．０２重量％〜３重量％の前記粒子と、任意で〜１００重量％の他の洗剤成分と合わせる、請求項８〜１２のいずれかに記載の方法。
【請求項１４】
前記脂肪酸が、前記組成物中の脂肪酸の合計重量に基づいて、少なくとも５０重量％のオレイン酸である、請求項８〜１３のいずれかに記載の方法。
【請求項１５】
前記粒子が、乾量基準で約２０重量％〜約７０重量％の脂肪酸と、約１０重量％〜約４０重量％のナトリウムモンモリロナイト粘土と、約１０重量％〜約４０重量％のカルシウムモンモリロナイト粘土とを含む、請求項８〜１４のいずれかに記載の方法。
【請求項１６】
前記粒子が、本明細書に定義する溶解試験に供したときに約１５％未満の残渣しか残らない、請求項８〜１５のいずれかに記載の方法。
【請求項１７】
前記粒子が、約４０重量％〜約７０重量％の脂肪酸と、約１０重量％〜約３０重量％のナトリウムモンモリロナイト粘土と、約１０重量％〜約３０重量％のカルシウムモンモリロナイト粘土とを含み、前記重量パーセントが、前記粒子の合計乾燥重量に基づく、請求項８〜１６のいずれかに記載の方法。
【請求項１８】
洗浄界面活性剤を含み、前記洗浄界面活性剤が、
（ｉ）平均アルコキシル化度が０．５〜５であるアルキルアルコキシル化サルフェートアニオン性洗浄界面活性剤；及び／又は
（ｉｉ）主にＣ１２のアルキルサルフェートアニオン性洗浄界面活性剤；及び／又は
（ｉｉｉ）２５％未満の非イオン性洗浄界面活性剤を含む、請求項１に記載の組成物。
【請求項１９】
（ａ）
（ｉ）ポリエチレングリコールを含む親水性骨格と、
（ｉｉ）Ｃ４〜Ｃ２５アルキル基、ポリプロピレン、ポリブチレン、飽和Ｃ１〜Ｃ６モノカルボン酸のビニルエステル、アクリル酸又はメタクリル酸のＣ１〜Ｃ６アルキルエステル、及びこれらの混合物からなる群から選択される疎水性側鎖と、を含むランダムグラフトコポリマー；
（ｂ）０．０１〜０．９９の置換度（ＤＳ）と、ＤＳ＋ＤＢが少なくとも１．００であるか、又はＤＢ＋２ＤＳ−ＤＳ２が少なくとも１．２０であるようなブロック度（ＤＢ）と、を有するセルロース系ポリマー；
（ｃ）
（ｉ）５０以上９８重量％未満の、カルボキシル基を含む１つ以上のモノマーに由来する構造単位と；
（ｉｉ）１以上４９重量％未満の、スルホネート部分を含む１つ以上のモノマーに由来する構造単位と；
（ｉｉｉ）１〜４９重量％の、式（ＶＩ）及び（ＶＩＩ）：
【化１】
2015524015.tif 000012
（式（ＶＩ）中、Ｒ０は、水素原子又はＣＨ３基を表し、Ｒは、ＣＨ２基、ＣＨ２ＣＨ２基、又は単結合を表し、Ｘは、０〜５の数を表すが、Ｒが単結合である場合、Ｘは１〜５の数を表し、Ｒ１は、水素原子又はＣ１〜Ｃ２０有機基である）
【化２】
2015524015.tif 000013
（式（ＶＩＩ）中、Ｒ０は、水素原子又はＣＨ３基を表し、Ｒは、ＣＨ２基、ＣＨ２ＣＨ２基又は単結合を表し、Ｘは、０〜５の数を表し、Ｒ１は、水素原子又はＣ１〜Ｃ２０有機基である）によって表されるエーテル結合含有モノマーから選択されるモノマーのうちの１種以上に由来する構造単位と、を含むコポリマー；
（ｄ）以下の構造（ＩＩＩ）、（ＩＶ）、又は（Ｖ）：
（ＩＩＩ）−［（ＯＣＨＲ１−ＣＨＲ２）ａ−Ｏ−ＯＣ−Ａｒ−ＣＯ−］ｄ
（ＩＶ）−［（ＯＣＨＲ３−ＣＨＲ４）ｂ−Ｏ−ＯＣ−ｓＡｒ−ＣＯ−］ｅ
（Ｖ）−［（ＯＣＨＲ５−ＣＨＲ６）ｃ−ＯＲ７］ｆ
（式中、
ａ、ｂ、及びｃは、１〜２００であり、
ｄ、ｅ、及びｆは、１〜５０であり、
Ａｒは、１，４−置換フェニレンであり、
ｓＡｒは、位置５がＳＯ３Ｍｅにより置換されている１，３−置換フェニレンであり、
Ｍｅは、Ｌｉ、Ｋ、Ｍｇ／２、Ｃａ／２、Ａｌ／３、アンモニウム、モノ−、ジ−、トリ−、若しくはテトラ−アルキルアンモニウム（アルキル基は、Ｃ１〜Ｃ１８アルキル又はＣ２〜Ｃ１０ヒドロキシアルキルである）、又はこれらの任意の混合物であり、
Ｒ１、Ｒ２、Ｒ３、Ｒ４、Ｒ５、及びＲ６は、独立して、Ｈ、又はＣ１〜Ｃ１８ｎ−若しくはイソ−アルキルから選択され、
Ｒ７は、直鎖若しくは分枝鎖Ｃ１〜Ｃ１８アルキル、又は直鎖若しくは分枝鎖Ｃ２〜Ｃ３０アルケニル、又は５〜９個の炭素原子を有するシクロアルキル基、又はＣ８〜Ｃ３０アリール基、又はＣ６〜Ｃ３０アリールアルキル基である）のうちの１つに係る構造を有するポリエステル汚れ放出ポリマー；並びに
（ｅ）これらの任意の組み合わせ、からなる群より選択される粘土及び汚れ除去／再付着防止剤を含む、請求項１に記載の組成物。
【請求項２０】
以下の式（ＩＸ）：
【化３】
2015524015.tif 000014
（式中、Ｒ１は、Ｈ、３〜２４個の炭素を含有する分枝鎖アルキル基、及び１〜２４個の炭素を含有する直鎖アルキル基からなる群より選択され、Ｒ２は、独立して、Ｈ、３〜１２個の炭素を含む分枝鎖アルキル基、及び１〜１２個の炭素を含む直鎖アルキル基からなる群より選択され、ｎは、０〜１の整数である）を有するオキサジリジニウム系漂白触媒を含む、請求項１に記載の組成物。
【請求項２１】
以下の構造（Ｘ）を有するＣ．Ｉ．蛍光増白剤２６０を含み、
【化４】
2015524015.tif 000015
前記Ｃ．Ｉ．蛍光増白剤２６０が、
主に、アルファ−結晶質形態であるか、又は
主に、ベータ−結晶質形態であり、且つ３〜３０マイクロメートルの重量平均一次粒径を有する、請求項１に記載の組成物。
【請求項２２】
（ａ）野生型アミノ酸に対して＞９０％の相同性を有し、且つＴ２３１及び／又はＮ２３３に置換を含むサーモマイセス・ラヌギノサ（thermomyces lanuginosa）リパーゼの変異体；
（ｂ）グリコシルヒドロラーゼファミリー４５に属する洗浄セルラーゼ；
（ｃ）バチルス種（Bacillus sp.）ＤＳＭ  １２６４９の内因性ＡＡ５６０アルファアミラーゼの変異体であって、
（ｉ）位置９、２６、１４９、１８２、１８６、２０２、２５７、２９５、２９９、
３２３、３３９、及び３４５のうちの１つ以上における突然変異と、
（ｉｉ）位置１１８、１８３、１８４、１９５、３２０、及び４５８における１つ以上の置換及び／又は欠失とを有する変異体；並びに
（ｄ）これらの任意の組み合わせ、からなる群より選択される酵素を含む、請求項１に記載の組成物。
【請求項２３】
前記組成物が、ゼオライトビルダーを実質的に含まず、前記組成物が、リン酸ビルダーを実質的に含まない、請求項１に記載の組成物。
【発明の詳細な説明】
【技術分野】
【０００１】
本発明は、洗濯洗剤組成物等の粉末状又は顆粒状の製品と組み合わせるため、布地の洗濯において用いるため、又は便器等において水に色を付加するのに用いるための、視覚的手がかり（visual cues）とも呼ばれる視覚的に対比する審美剤粒子に関する。
【背景技術】
【０００２】
粉末状又は顆粒状の洗濯洗剤組成物に視覚的に対比する粒子を含めることは周知である。視覚的に対比する粒子は、幾つかの特定の品質又は成分の存在を示すために、消費者に対する手がかりとして含めてもよく、又は単に、製品に魅力的な外観を付与するために存在してもよい。
【０００３】
英国特許第２，３５８，４０３  Ｂ号には、平面フィルムから、数字、アルファベットの文字、円、太陽、月、及び星の形状等の任意の所望の形状に切り取られた有色層状ポリマー粒子が開示されている。平面フィルムからこのような形状を切り取ることにより、再生用の廃棄物フィルム材料が高い割合で残る。このようなフィルム材料の再生は、コストがかかり、効率が悪い。
【０００４】
他の特許、例えば、国際公開第２００９／０４７１２４  Ａ１号には、切り取られた形状物を並べる（tiled）ことができるように、切り取られた形状物間に廃棄物材料を生じさせずにフィルムから同一の形状物を切り取ることによる層状粒子の製造が開示されている。他の特許には、蛍光染料（英国特許第２，３５８，４０４  Ｂ号）又は香料（国際公開第２００９／０４７１２７  Ａ１号）等の視覚的に対比する粒子における添加剤が記載されている。
【０００５】
洗濯洗剤組成物に視覚的に対比する粒子を含めることの重大な問題の１つは、自動洗濯機の洗浄サイクル中に粒子が完全には可溶化しない場合があることである。対比する粒子に由来する不溶性残渣は、洗浄される布地上に残留し、布地が清潔ではないという印象を与えたり、又は残渣が、特定の汚れ領域に見えたりする場合がある。この問題について記載している他の公開出願は、国際公開第２００６／０７９４１６号であり、これには、不溶性残渣が１０重量％未満しか残らない視覚的に対比する粒子が請求されている。不溶性残渣が１０重量％未満しか残らない材料は、アラビアゴム、カゼイン、ヒドロキシプロピルメチルセルロース、及びカルボキシメチルセルロースナトリウムであった。
【先行技術文献】
【特許文献】
【０００６】
【特許文献１】英国特許第２，３５８，４０３  Ｂ号
【特許文献２】国際公開第２００９／０４７１２４  Ａ１号
【特許文献３】英国特許第２，３５８，４０４  Ｂ号
【特許文献４】国際公開第２００９／０４７１２７  Ａ１号
【特許文献５】国際公開第２００６／０７９４１６号
【発明の概要】
【発明が解決しようとする課題】
【０００７】
十分に可溶性であることに加えて、審美剤粒子の組成物は、最終製品の消費者マインドを喚起するリング形、ヌードル形、星形、及び他の形状等、様々なデザインの多数の異なるサイズ、形状、及び色を有する粒子を製造できなければならない。
【課題を解決するための手段】
【０００８】
本明細書に記載する組成物、視覚的に対比する審美剤粒子、及び製造方法によれば、粒子状洗濯洗剤組成物は、本明細書に記載する溶解試験に供したとき、未溶解残渣が５％以下しか残らない、高比率の白色又は淡色の洗剤の視覚的に対比する審美剤粒子を含む。
【０００９】
発明者らは、脂肪酸又は脂肪酸のブレンドと２種の異なる種類のベントナイトとを組み合わせると、驚くべきことに、同じ組成物濃度において個々のベントナイト製品のいずれかよりも高い溶解度が得られることを見出した。
【００１０】
例１
【表１】
2015524015.tif 000003
【００１１】
３００ｒｐｍで稼働する、供給速度：約２３ｇ／分、及び押出成形機の孔径：０．８ｍｍのＡＰＶ押出成形機を用いて、上記サンプルを試験した。試験原料は、脂肪酸又は脂肪酸のブレンドといずれか一方の粘土（ＱＰＣ又はＱＰＮ）、又は脂肪酸と２種の粘土の等量ブレンドであった。驚くべきことに、発明者らは、ナトリウム活性粘土（ＱＰＮ）と不活化カルシウム粘土（ＱＰＣ）との組み合わせを合わせたとき、溶解試験完了後に残る残留材料が最も少なくなることを見出した。活性粘土と不活化粘土との組み合わせにより最も低い溶解度が得られるという事実は、予想外の結果である。
【００１２】
溶解試験方法
Ｔｅｒｇｏｔｏｍｅｔｅｒの温度調整器を１５℃に設定し、各容器を１０００ｍＬの冷溶媒硬度水（１ガロン当たり約１０グレイン）で満たす。撹拌速度を２００ｒｐｍに設定する。水が正確な温度に達したら、３．５ｇの洗濯洗剤を添加し、その直後に１ｇの審美剤粒子を添加する。審美剤粒子が完全に溶解するのにかかる時間を記録し、１５分間超かかる場合は、その時点で撹拌を停止する。洗浄液及び任意の未溶解材料を１５０μｍの篩に慎重に注ぎ、脱イオン水で簡単にすすぎ、次いで、洗浄液及び任意の未溶解材料をブフナー漏斗に慎重に移し、乾燥させて予め重量を測定しておいたＷｈａｔｍａｎ（登録商標）タイプ４濾紙で濾過する。次いで、濾紙を１０５℃で乾燥させ、重量を測定して、残留審美剤粒子の重量％を求める。
【図面の簡単な説明】
【００１３】
【図１】押出成形機アセンブリの模式図である。
【発明を実施するための形態】
【００１４】
本明細書で範囲は、「約」若しくは「およそ」ある特定の値から及び／又は「約」若しくは「およそ」別の特定の値までとして表すことができる。このような範囲が表されているとき、別の実施形態はその一方の特定の値から及び／又は他方の特定の値までを含む。同様に、値が、先行する「約」を用いることにより近似値として述べられている場合、その特定の値が別の実施形態を形成するものと理解されるであろう。
【００１５】
視覚的に対比する審美剤粒子
本発明の洗剤組成物は、オレイン酸塩石鹸及びナトリウムスメクタイト粘土とカルシウムスメクタイト粘土との組み合わせに加えて、洗剤機能成分を含有していてもよく含有していなくてもよい視覚的に対比する審美剤粒子を含有する。例えば、ナトリウムスメクタイト粘土は、ナトリウムベントナイトであってよく、カルシウムスメクタイト粘土は、カルシウムベントナイトであってよい。
【００１６】
また、視覚的に対比する審美剤粒子は、色、形状、及びサイズにおいて、洗剤組成物のバルクに対して優れた視覚的対比を提供するので、視覚的影響が最大化される。洗剤粒子は、不規則な形状であるので、視覚的に対比する審美剤粒子は、規則的な形状であることが好ましい。洗剤粒子は、比較的広い粒径分布を有するので、視覚的に対比する本体は、サイズが均一であることが好ましい。
【００１７】
粒子は、例えば、すべて同一のサイズ及び形状であってよいが、これは必須ではない。１つ超のサイズ又は形状が存在してもよいが、その場合、連続体を形成するのではなく、分離していて、輪郭が明確であることが好ましい。視覚的に対比する本体は、好ましくは、鮮やかな色の材料で形成され、これは、必要に応じて、蛍光であってもよい。材料は、高反射性である（光沢がある）のが有利である。すべての本体が同じ色である必要はない。
【００１８】
既に示した通り、視覚的に対比する審美剤粒子は、規則的な形状であることが好ましい。粒子は、比較的高度な対称性を有することが好適である場合がある。しかし、幾つかの審美的に好ましい形状は、高度に対称性ではないこともある。
【００１９】
本発明の１つの好ましい実施形態によれば、視覚的に対比する審美剤粒子は、オレイン酸塩界面活性剤、ナトリウムモンモリロナイト粘土、及びカルシウムモンモリロナイト粘土の有色の組み合わせである。１つの実施形態によれば、視覚的に対比する審美剤粒子は、オレイン酸塩石鹸、ナトリウムベントナイト（活性カルシウム）、及びベントナイトカルシウムを含む。本明細書における任意の実施形態では、視覚的に対比する審美剤粒子は、染料又は顔料等の着色剤を含んでよい。
【００２０】
審美剤粒子は、好適には、円形、四角形、三角形、及び星形等の対称且つ規則的な形状を有し得る。すべての審美剤粒子が、同じ形状及び色であってもよく、又は異なる形状及び色を一緒に用いてもよい。審美剤粒子は、同一のサイズであってもよく、幾つかの異なるサイズ（ただし分離している）であってもよい。
【００２１】
同一の形状を用いる代わりに、同等の形状のセット、例えば、幾何学的形状（三角形、四角形、五角形、六角形）、数字、アルファベットの文字、天体（太陽、月、星）を用いてもよい。同じ形状であるが異なるサイズの適合するセットを用いてもよい。各セットは、その独自の色を有していてよい。
【００２２】
視覚的に対比する審美剤粒子は、著しい視覚的影響をもたらすために、非常に低濃度、例えば、０．０２〜１重量％、好ましくは０．０５〜０．５重量％でしか存在する必要はなく、又は約３重量％以下の量で洗剤組成物に含まれてもよい。
【００２３】
審美剤粒子中の成分の以下の重量パーセントは、乾量（水０％）基準で最終粒子に基づく。ナトリウムスメクタイト粘土は、例えば、約１０重量％〜約７０重量％、約１２重量％〜約６５重量％、約１０重量％〜約４５重量％、約１５重量％〜約３０重量％、約１０重量％〜約４０重量％、又は約１５重量％〜約２５重量％の範囲で審美剤粒子中に提供され得る。他の好適な量としては、例えば、約１０、１１、１２、１３、１４、１５、１６、１７、１８、１９、２０、２１、２２、２３、２４、２５、２６、２７、２８、２９、３０、３２、３４、３６、３８、４０、４２、４４、４６、４８、５０、５２、５４、５６、５８、６０、６２、６４、６６、６８、及び７０重量％が挙げられる。例えば、ナトリウムスメクタイト粘土は、ナトリウムモンモリロナイト粘土及び／又はナトリウムベントナイト粘土であってよく、前述の量で提供されてよい。
【００２４】
カルシウムスメクタイト粘土は、例えば、約１０重量％〜約７０重量％、約１２重量％〜約６５重量％、約１０重量％〜約４５重量％、約１５重量％〜約３０重量％、約１０重量％〜約４０重量％、又は約１５重量％〜約２５重量％の範囲で審美剤粒子中に提供され得る。他の好適な量としては、例えば、約１０、１１、１２、１３、１４、１５、１６、１７、１８、１９、２０、２１、２２、２３、２４、２５、２６、２７、２８、２９、３０、３２、３４、３６、３８、４０、４２、４４、４６、４８、５０、５２、５４、５６、５８、６０、６２、６４、６６、６８、及び７０重量％が挙げられる。例えば、カルシウムスメクタイト粘土は、カルシウムモンモリロナイト粘土及び／又はカルシウムベントナイト粘土であってよく、前述の量で提供されてよい。
【００２５】
脂肪酸は、例えば、約１０重量％〜約７０重量％、約２０重量％〜約６５重量％、約３５重量％〜約７０重量％、約５５重量％〜約６５重量％、又は約５０重量％〜約７０重量％の範囲で提供され得る。他の好適な量としては、例えば、約１０、１２、１３、１４、１５、１６、１７、１８、１９、２０、２１、２２、２３、２４、２５、２６、２７、２８、２９、３０、３２、３４、３６、３８、４０、４２、４４、４６、４８、５０、５１、５２、５３、５４、５５、５６、５７、５８、５９、６０、６１、６２、６３、６４、６５、６６、６７、６８、６９、及び７０重量％が挙げられる。
【００２６】
また、審美剤粒子は、染料又は顔料等の着色剤を含んでよい。審美剤粒子は、１種以上の異なる着色剤を含んでよい。審美剤粒子中に含まれる着色剤の合計量は、例えば、約０．００１重量％〜約５重量％、約０．０１重量％〜約５重量％、約０．０５重量％〜約４重量％、約０．０７重量％〜約３重量％、約０．１重量％〜約２重量％、約０．５重量％〜約２．５重量％、約１重量％〜約５重量％、約２重量％〜約４重量％、約０．２重量％〜約１．５重量％の範囲であってよい。他の好適な量としては、例えば、０．０１、０．０２、０．０３、０．０４、０．０５、０．０６、０．０７、０．０８、０．０９、０．１、０．１５、０．２、０．２５、０．３、０．３５、０．４、０．４５、０．５、０．５５、０．６、０．６５、０．７、０．７５、０．８、０．８５、０．９、１、１．１、１．２、１．３、１．４、１．５、１．６、１．７、１．８、１．９、２、２．１、２．２、２．３、２．４、２．５、２．６、２．７、２．８、２．９、３、３．１、３．２、３．３、３．４、３．５、３．６、３．７、３．８、３．９、４、４．１、４．２、４．３、４．４、４．５、４．６、４．７、４．８、４．９、及び５重量％が挙げられる。
【００２７】
例えば、視覚的に対比する審美剤粒子は、組成物中の脂肪酸及び粘土の合計重量に基づいて、約１０重量％〜約７０重量％の量の１つ以上の脂肪酸と、約１０重量％〜約４５重量％の量のナトリウムモンモリロナイト粘土と、約１０重量％〜約４５重量％の量のカルシウムモンモリロナイト粘土とからなる組成を有し得る。洗濯洗剤組成物の色に対して審美剤粒子の色をより識別可能にするために、少量、例えば、組成物中の脂肪酸及び粘土の合計重量に基づいて０．０１〜１重量％の色対比染料又は顔料を添加してもよい。好ましくは、組成物は、約４０重量％〜約７０重量％の脂肪酸と、約１０重量％〜約３０重量％のナトリウムモンモリロナイト粘土と、約１０重量％〜約３０重量％のカルシウムモンモリロナイト粘土とを有する押出成形粒子であってよい。より好ましくは、審美剤粒子の組成は、約５０重量％〜約６５重量％の脂肪酸と、約１５重量％〜約２５重量％のナトリウムモンモリロナイト粘土と、約１５重量％〜約２５重量％のカルシウムモンモリロナイト粘土とである。
【００２８】
別の実施形態では、審美剤粒子の組成は、約２５重量％〜約６０重量％の脂肪酸と；０重量％〜２０重量％、好ましくは約０．１重量％〜約１５重量％、より好ましくは約１重量％〜約１５重量％の、セチルアルコールのポリエチレングリコールエーテル、例えば、ＴＥＡ−２５（ＣＨ３（ＣＨ２）１４（ＯＣＨ２ＣＨ２）ｎＯＨ（式中、ｎは、２５の平均値を有する）と；０重量％〜約１５重量％、好ましくは約０．１重量％〜約１０重量％、より好ましくは約１重量％〜約１０重量％の酢酸ナトリウムと；０重量％〜約２０重量％、好ましくは約０．１重量％〜約１５重量％、より好ましくは約１重量％〜約１５重量％の炭酸ナトリウム及び／又は重炭酸ナトリウムと；約１０重量％〜約３０重量％のナトリウムモンモリロナイト粘土と；約１０重量％〜約３０重量％のカルシウムモンモリロナイト粘土とを含んでよい。
【００２９】
審美剤粒子組成物は、好ましくは、押出成形され、押出成形機から押出品が出るときに、好ましくは約０．２５ｍｍ〜約１．５ｍｍの一貫した厚さを有する別個の粒子に切断される。あるいは、押出品は、好ましくは約０．２５ｍｍ〜約１．５ｍｍの一貫した厚さを有する別個の粒子に破壊される。
【００３０】
脂肪酸は、飽和又は不飽和のＣ６〜Ｃ２２、好ましくは、飽和オレイン酸（Ｃ１８）であってよく、１、２、又は３個の二重結合を有してよい。脂肪酸源は、常に、１超の脂肪鎖長を含有するブレンドであることを理解すべきである。脂肪酸は、ラウリン酸、ミリスチン酸、ペンタデカン酸、パルミチン酸、マルガリン酸、ステアリン酸、ヒドロキシステアリン酸、イソステアリン酸、ミリストレイン酸、パルミトレイン酸、オレイン酸、リノール酸、リノレン酸、カプリル酸、カプリル酸とカプリン酸との混合物、ヤシ脂肪酸、水素添加ヤシ脂肪酸、タロー脂肪酸、水素添加タロー脂肪酸、大豆脂肪酸、アラキジン酸、アラキドン酸、ベヘン酸、カプリン酸、カプロン酸、カプリル酸、コーン脂肪酸、綿実脂肪酸、メンハーデン脂肪酸、水素添加メンハーデン脂肪酸、亜麻仁脂肪酸、ペラルゴン酸、リシノール酸、トール油、ウンデカン酸、ウンデシレン酸、及び前述の脂肪酸の任意の２つ以上の混合物から選択してよい。１つの実施形態では、脂肪酸源は、オレイン酸ナトリウム石鹸である。好ましくは、脂肪酸は、主に、微量（酸ブレンドの２０重量％未満、好ましくは、酸ブレンドの１０重量％未満）の上記酸（飽和及び／又は不飽和）のうちの１つ以上を含む、不飽和（脂肪酸の合計重量に基づいて５０重量％超）オレイン酸である。
【００３１】
審美剤粒子組成物のナトリウムスメクタイト粘土部分、例えば、ナトリウムモンモリロナイト粘土及び／又はナトリウムベントナイト粘土部分は、主な交換可能カチオンとしてナトリウムを有するナトリウムスメクタイト粘土として採掘されてもよく、又はその主な交換可能カチオンとして、例えば、カルシウム若しくはマグネシウム若しくはリチウム等の別のカチオンを最初に有してもよく、したがって、当該技術分野において周知である通り、イオン交換されて、その主な交換可能カチオンとしてナトリウムを有するナトリウムスメクタイト粘土になる。
【００３２】
１つの実施形態では、ナトリウムスメクタイト粘土は、カルシウムスメクタイト粘土の重量パーセントとほぼ同じ（２０％以内、好ましくは、１０％以内）重量パーセントで組成物中に含まれる。好ましい実施形態では、組成物は、着色剤を含み、任意のエラストマーを含まない。
【００３３】
視覚的に対比する審美剤粒子組成物は、好ましくは、洗剤組成物と視覚的に識別可能であるように、約０．００１〜約５重量％、約０．１重量％〜約２．５重量％約０．００１〜約０．５重量％、より好ましくは０．１〜０．３重量％の着色剤（染料及び／又は顔料）を含む。視覚的に対比する審美剤粒子の色は、対比色の技術分野において公知である通り、色相、値（色合い又は濃淡）及び／又は飽和において洗剤組成物と視覚的に識別可能であるように、着色される。押出成形された審美剤粒子に対して視覚的に識別可能な色を付与することができる任意の染料又は顔料は、好ましくは押出成形前に粒子組成物中に含まれていてよい。好適な着色剤としては、食品用着色剤が挙げられ、好ましくは、着色剤である染料又は顔料は、布地用の直接着色剤ではない。着色剤は、好ましくは、赤色、緑色、青色、黄色、青緑色、シアン色、茶色、橙色、青紫色、紫色、又はこれら着色剤のうちの１つ以上の組み合わせを含む任意の色である。洗剤組成物が白色と視覚的に対比するように十分に着色されている場合、審美剤粒子に視覚的に対比する色を付与するために白色及びオフホワイトの着色剤を添加してもよい。好適な石鹸及び洗剤染料は、Ｃｈｒｏｍａｔｅｃｈ，Ｉｎｃｏｒｐｏｒａｔｅｄ  ｏｒ  Ｃｈｏｍａｔｅｃｈ  Ｅｕｒｏｐｅ，Ｂ．Ｖ．からＣＨＲＯＭＡＴＩＮＴ（登録商標）カラーとして入手することができる。
【００３４】
ここで図面を参照すると、任意の所望の形状を有する１つ以上の成形孔を有するダイプレートを通して審美剤粒子組成物を押出成形できることが分かる。図面に示す通り、押出成形機１０は、トンネル１４を通ってダイプレート１６に向かって審美剤粒子組成物１３を搬送するオーガー又は押出スクリュー１２を備える。ダイプレート１６に達する前に、審美剤粒子組成物は、ダイプレート１６に隣接する隙間１８を満たす。より多くの審美剤粒子組成物が隙間１８に押し込まれて、隙間１８が審美剤粒子組成物で満たされたとき、ダイプレート１６の内面に対する組成物の圧力により、組成物が成形ダイプレート開口部（図示せず）に通される。回転ナイフブレード２０が、押出成形された審美剤粒子組成物を、好ましくは約０．２５ｍｍ〜約１．５ｍｍの範囲の各成形ダイ開口部における所望の厚さに切断する。隙間１８における一定の組成物圧力、及びダイプレート１６の外面における複数の均一に広がるナイフブレード（扇風機の羽根のように配置されている）の一貫したタイミングを確立することによって、個々の審美剤粒子の生産を自動化して、各成形ダイプレート開口部から、数分間で、任意の所望のサイズ、形状、及び厚さを有する数千個の別個の粒子を得ることができる。切断された審美剤粒子を、切断したときに真空除去し、例えば、洗濯洗剤等の粉末状又は顆粒状の製品等の別の製品と組み合わせるために、又は保管するためにコンベヤーベルト（図示せず）によって搬送してよい。
【００３５】
１つの実施形態では、審美剤粒子は、リング形である。例えば、１つの実施形態では、審美剤粒子は、緑色であり、リング形であり、且つ約５５重量％〜約６５重量％の範囲のオレイン酸ナトリウム石鹸と、約１５重量％〜約２５重量％の範囲のカルシウムベントナイトと、約１５重量％〜約２５重量％の範囲のナトリウムベントナイトと、約１重量％〜約２重量％の範囲の黄色顔料（例えば、Ｓａｎｏｌｉｎ  Ｔａｒｔｒａｚｅｎｅ  Ｘ９０）と、約０．１重量％〜約０．５重量％の範囲の緑色顔料（例えば、Ｃｏｓｍｅｎｙｌ  Ｇｒｅｅｎ  ＧＣ）とを含んでよい。別の実施形態では、審美剤粒子は、橙色であり、リング形であり、且つ約５５重量％〜約６５重量％の範囲のオレイン酸ナトリウム石鹸と、約１５重量％〜約２５重量％の範囲のカルシウムベントナイトと、約１５重量％〜約２５重量％の範囲のナトリウムベントナイトと、約１重量％〜約２重量％の範囲の橙色顔料（例えば、Ｆｌｅｘｏｎｙｌ  Ｏｒａｎｇｅ  ＳＰ−Ｇ）とを含む。
【００３６】
洗剤組成物（審美剤粒子を添加する前）
洗濯洗剤組成物：典型的には、組成物は、完全に製剤化された洗濯洗剤組成物であって、洗濯洗剤組成物の一部のみを形成する噴霧乾燥粒子又は凝集粒子等の洗濯洗剤組成物の一部ではない。しかし、追加のすすぎ添加剤組成物（例えば、布地コンディショナー又は布地エンハンサー）又は主洗浄添加剤組成物（例えば、漂白添加剤）も本発明の方法中に洗濯洗剤組成物と組み合わせて使用することは、本発明の範囲内である。しかし、本発明の方法中に、漂白添加剤組成物を洗濯洗剤組成物と組み合わせて使用しないことが好ましい場合もある。
【００３７】
典型的に、組成物は、噴霧乾燥基剤洗剤粒子及び／又は凝集基剤洗剤粒子及び／又は押出成形基剤洗剤粒子等の複数の化学的に異なる粒子を、界面活性剤粒子（界面活性剤凝集体、界面活性剤押出品、界面活性剤針状物、界面活性剤麺状物、界面活性剤フレークを含む）；ポリマー粒子（例えば、セルロース系ポリマー粒子、ポリエステル粒子、ポリアミン粒子、テレフタレートポリマー粒子、ポリエチレングリコールポリマー粒子等）；ビルダー粒子（例えば、炭酸ナトリウム及びケイ酸ナトリウムのコビルダー粒子、リン酸塩粒子、ゼオライト粒子、ケイ酸塩粒子、炭酸塩粒子等）；充填剤粒子（例えば、硫酸塩粒子等）；移染阻害剤粒子；染料固着粒子；漂白剤粒子（例えば、過炭酸塩粒子、特に、炭酸塩、硫酸塩、ケイ酸塩、ホウケイ酸塩、又はこれらの任意の組み合わせでコーティングされた過炭酸塩等のコーティング過炭酸塩粒子、過ホウ酸塩粒子、遷移金属漂白触媒粒子又はオキサジリジニウム系漂白触媒粒子等の漂白触媒粒子、予形成過酸粒子、特に、コーティング予形成過酸粒子、並びに漂白活性化剤と過酸化水素の供給源と任意で漂白触媒との共漂白粒子等）；漂白活性化剤粒子（例えば、オキシベンゼンスルホネート漂白活性化剤粒子及びテトラアセチルエチレンジアミン漂白活性化剤粒子等）；キレート剤粒子（例えば、キレート剤凝集体）；色相染料粒子；増白剤粒子；酵素粒子（例えば、プロテアーゼ小球、リパーゼ小球、セルラーゼ小球、アミラーゼ小球、マンナナーゼ小球、ペクチン酸リアーゼ小球、キシログルカナーゼ小球、漂白酵素小球、クチナーゼ小球、及びこれら酵素のいずれかの共小球等）；粘土粒子（例えば、モンモリロナイト粒子又は粘土及びシリコーンの粒子等）；凝集剤粒子（例えば、ポリエチレンオキシド粒子等）；ワックス粒子（例えば、ワックス凝集体等）；香料粒子（例えば、香料マイクロカプセル、特にメラミンホルムアルデヒド系香料マイクロカプセル、デンプンにカプセル化された香料アコード粒子、及びシッフ塩基反応生成物粒子等のプロ香料粒子等）；審美剤粒子（例えば、着色された麺状物若しくは針状物若しくは層状粒子、及び着色ソープリングを含むソープリング等）；及びこれらの任意の組み合わせから選択される１種以上、典型的には、２種以上、又は３種以上、又は４種以上、又は５種以上、又は６種以上、又は更には１０種以上の粒子と組み合わせて含む。
【００３８】
洗剤成分：組成物は、典型的に洗剤成分を含む。好適な洗剤成分としては、アニオン性洗浄界面活性剤、非イオン性洗浄界面活性剤、カチオン性洗浄界面活性剤、双極性イオン洗浄界面活性剤、両性洗浄界面活性剤、及びこれらの任意の組み合わせを含む洗浄界面活性剤；カルボキシレートポリマー、ポリエチレングリコールポリマー、テレフタレートポリマー等のポリエステル汚れ放出ポリマー、アミンポリマー、セルロース系ポリマー、移染阻害ポリマー、所望により１：４：１の比率のイミダゾールとエピクロロヒドリンとの縮合によって生成される縮合オリゴマー等の染料固定ポリマー、ヘキサメチレンジアミン誘導体ポリマー、及びこれらの任意の組み合わせを含むポリマー；ゼオライト、リン酸塩、クエン酸塩、及びこれらの任意の組み合わせを含むビルダー；炭酸塩及び／又はケイ酸塩を含む緩衝剤及びアルカリ源；硫酸塩及びバイオ充填剤材料を含む充填剤；漂白活性化剤、有効酸素の供給源、予形成過酸、漂白触媒、還元漂白剤、及びこれらの任意の組み合わせを含む漂白剤；キレート剤；光漂白剤；色相剤；増白剤；プロテアーゼ、アミラーゼ、セルラーゼ、リパーゼ、キシログルカナーゼ、ペクチン酸リアーゼ、マンナナーゼ、漂白酵素、クチナーゼ、及びこれらの任意の組み合わせを含む酵素；粘土、シリコーン、第四級アンモニウム布地柔軟化剤、及びこれらの任意の組み合わせを含む柔軟仕上げ剤；ポリエチレンオキシド等の凝集剤；デンプンにカプセル化された香料アコード、香料マイクロカプセル、香料充填ゼオライト、ケトン香料原料とポリアミンとのシッフ塩基反応生成物、ブルーミング香料、及びこれらの任意の組み合わせを含む香料；ソープリング、層状審美剤粒子、ゼラチンビーズ、炭酸塩及び／又は硫酸塩のスペックル、色土、及びこれらの任意の組み合わせを含む審美剤；並びにこれらの任意の組み合わせが挙げられる。
【００３９】
洗浄界面活性剤：組成物は、典型的には、洗浄界面活性剤を含む。好適な洗浄界面活性剤としては、アニオン性洗浄界面活性剤、非イオン性洗浄界面活性剤、カチオン性洗浄界面活性剤、双極性イオン洗浄界面活性剤、両性洗浄界面活性剤、及びこれらの任意の組み合わせが挙げられる。
【００４０】
アニオン性洗浄界面活性剤：好適なアニオン性洗浄界面活性剤としては、サルフェート洗浄界面活性剤及びスルホネート洗浄界面活性剤が挙げられる。
【００４１】
好ましくは、アニオン性洗浄界面活性剤の量は、組成物全体の５重量％〜５０重量％の範囲である。より好ましくは、アニオン性界面活性剤の量は、約８重量％〜約３５重量％の範囲である。
【００４２】
好適なスルホネート洗浄界面活性剤としては、Ｃ１０〜１３アルキルベンゼンスルホネート等のアルキルベンゼンスルホネートが挙げられる。好適なアルキルベンゼンスルホネート（ＬＡＳ）は、市販の直鎖アルキルベンゼン（ＬＡＢ）をスルホン化することによって入手可能であるか、又は更には入手され、好適なＬＡＢとしては、Ｓａｓｏｌから商品名Ｉｓｏｃｈｅｍ（登録商標）として供給されているもの、又はＰｅｔｒｅｓａから商品名Ｐｅｔｒｅｌａｂ（登録商標）として供給されているもの等の低２−フェニルＬＡＢが挙げられ、他の好適なＬＡＢとしては、Ｓａｓｏｌから商品名Ｈｙｂｌｅｎｅ（登録商標）として供給されているもの等の高２−フェニルＬＡＢが挙げられる。別の好適なアニオン性洗浄界面活性剤は、ＤＥＴＡＬ触媒プロセスによって得られるアルキルベンゼンスルホネートであるが、ＨＦ等の他の合成経路が好適な場合もある。
【００４３】
好適なサルフェート洗浄界面活性剤としては、Ｃ８〜１８アルキルサルフェート、又は主にＣ１２のアルキルサルフェート等のアルキルサルフェートが挙げられる。アルキルサルフェートは、ココ及び／又はタロー等の天然源に由来してよい。あるいは、アルキルサルフェートは、Ｃ１２〜１５アルキルサルフェート等の合成源に由来してもよい。
【００４４】
別の好適なサルフェート洗浄界面活性剤は、アルキルエトキシル化サルフェート、又はＣ８〜１８アルキルアルコキシル化サルフェート、又はＣ８〜１８アルキルエトキシル化サルフェート等のアルキルアルコキシル化サルフェートである。アルキルアルコキシル化サルフェートは、０．５〜２０、又は０．５〜１０の平均アルコキシル化度を有し得る。アルキルアルコキシル化サルフェートは、典型的には、０．５〜１０、又は０．５〜７、又は０．５〜５、又は０．５〜３の平均エトキシル化度を有する、Ｃ８〜１８アルキルエトキシル化サルフェートであってよい。
【００４５】
アルキルサルフェート、アルキルアルコキシル化サルフェート及びアルキルベンゼンスルホネートは、直鎖又は分枝鎖であってもよく、置換又は非置換であってもよい。
【００４６】
アニオン性洗浄界面活性剤は、中鎖分枝鎖アルキルサルフェート及び／又は中鎖分枝鎖アルキルベンゼンスルホネート等の中鎖分枝鎖アニオン性洗浄界面活性剤であってよい。中鎖分枝は、典型的に、メチル基及び／又はエチル基等のＣ１〜４アルキル基である。
【００４７】
別の好適なアニオン性洗浄界面活性剤は、アルキルエトキシカルボキシレートである。
【００４８】
アニオン性洗浄界面活性剤は、典型的にはその塩形態で存在し、典型的には好適なカチオンと錯体化している。好適な対イオンとしては、Ｎａ＋及びＫ＋、Ｃ１〜Ｃ６アルカノールアンモニウム等の置換アンモニウム、例えば、モノエタノールアミン（ＭＥＡ）、トリエタノールアミン（ＴＥＡ）、ジエタノールアミン（ＤＥＡ）、及びこれらの任意の組み合わせが挙げられる。
【００４９】
非イオン性洗浄界面活性剤：好適な非イオン性洗浄界面活性剤は、Ｓｈｅｌｌ製のＮＥＯＤＯＬ（登録商標）非イオン性界面活性剤等のＣ８〜Ｃ１８アルキルエトキシレート；任意で、アルコキシレート単位が、エチレンオキシ単位、プロピレンオキシ単位、又はこれらの混合物であるＣ６〜Ｃ１２アルキルフェノールアルコキシレート；ＢＡＳＦ製のＰｌｕｒｏｎｉｃ（登録商標）等のエチレンオキシド／プロピレンオキシドブロックポリマーとＣ１２〜Ｃ１８アルコール及びＣ６〜Ｃ１２アルキルフェノールとの縮合物；Ｃ１４〜Ｃ２２中鎖分枝鎖アルコール；典型的には、１〜３０の平均アルコキシル化度を有する、Ｃ１４〜Ｃ２２中鎖分枝鎖アルキルアルコキシレート；アルキルポリグリコシド等のアルキル多糖類；ポリヒドロキシ脂肪酸アミド；エーテル末端保護ポリ（オキシアルキル化）アルコール界面活性剤；並びにこれらの混合物からなる群から選択される。
【００５０】
好適な非イオン性洗浄界面活性剤は、アルキルポリグルコシド及び／又はアルキルアルコキシル化アルコールである。
【００５１】
非イオン性洗浄界面活性剤は、存在する場合、好ましくは、約１重量％〜約２０重量％の範囲内の量で用いられる。
【００５２】
好適な非イオン性洗浄界面活性剤としては、Ｃ８〜１８アルキルアルコキシル化アルコール、又はＣ８〜１８アルキルエトキシル化アルコール等のアルキルアルコキシル化アルコールが挙げられる。アルキルアルコキシル化アルコールは、０．５〜５０、又は１〜３０、又は１〜２０、又は１〜１０の平均アルコキシル化度を有し得る。アルキルアルコキシル化アルコールは、典型的には、１〜１０、又は１〜７、又は１〜５、又は３〜７の平均エトキシル化度を有するＣ８〜１８アルキルエトキシル化アルコールであってよい。アルキルアルコキシル化アルコールは、直鎖又は分枝鎖であってもよく、置換又は非置換であってもよい。
【００５３】
好適な非イオン性洗浄界面活性剤としては、式（Ｉ）を有する第二級アルコール系洗浄界面活性剤が挙げられる：
【００５４】
【化１】
2015524015.tif 000004
（式中、Ｒ１は、直鎖又は分枝鎖、置換又は非置換、飽和又は不飽和のＣ２〜８アルキルであり、
Ｒ２は、直鎖又は分枝鎖、置換又は非置換、飽和又は不飽和のＣ２〜８アルキルであり、
Ｒ１＋Ｒ２部分に存在する炭素原子の総数は、７〜１３の範囲内であり、
ＥＯ／ＰＯは、エトキシ、プロポキシ、又はこれらの混合物から選択されるアルコキシ部分であり、任意で、ＥＯ／ＰＯアルコキシ部分はランダム又はブロック構造であり、
ｎは、平均アルコキシル化度であり、４〜１０の範囲である）。
【００５５】
他の好適な非イオン性洗浄界面活性剤としては、ＢＡＳＦから入手可能なＰｌｕｒａｆａｃ（登録商標）シリーズの界面活性剤等のＥＯ／ＰＯブロックコポリマー界面活性剤、及びアルキルＮ−メチルグルコースアミド等の糖由来の界面活性剤が挙げられる。
【００５６】
用いることができる好適な非イオン性洗浄界面活性剤としては、第一級及び二級アルコールエトキシレート、特にアルコール１モル当たり平均１〜２０モルのエチレンオキシドでエトキシル化されたＣ８〜Ｃ２０脂肪族アルコール、及び特にアルコール１モル当たり平均１〜１０モルのエチレンオキシドでエトキシル化されたＣ１０〜Ｃ１５第一級及び二級脂肪族アルコールが挙げられる。非エトキシル化非イオン性界面活性剤としては、アルキルポリグリコシド、グリセロールモノエーテル、及びポリヒドロキシアミド（グルカミド）が挙げられる。
【００５７】
カチオン性洗浄界面活性剤：好適なカチオン性洗浄界面活性剤としては、アルキルピリジニウム化合物、アルキル第四級アンモニウム化合物、アルキル第四級ホスホニウム化合物、アルキル第三級スルホニウム化合物、及びこれらの混合物が挙げられる。
【００５８】
好適なカチオン性洗浄界面活性剤は、一般式（ＩＩ）を有する第四級アンモニウム化合物である：
（ＩＩ）
（Ｒ）（Ｒ１）（Ｒ２）（Ｒ３）Ｎ＋Ｘ−
（式中、Ｒは、直鎖又は分枝鎖、置換又は非置換のＣ６〜１８アルキル又はアルケニル部分であり、Ｒ１及びＲ２は、独立して、メチル又はエチル部分から選択され、Ｒ３は、ヒドロキシル、ヒドロキシメチル、又はヒドロキシエチル部分であり、Ｘは、電気的中性を提供するアニオンであり、好適なアニオンとしては、塩化物等のハロゲン化物、サルフェート、及びスルホネートが挙げられる）。好適なカチオン性洗浄界面活性剤は、モノＣ６〜１８アルキルモノヒドロキシエチルジメチル第四級アンモニウムクロリドである。好ましいカチオン性洗浄界面活性剤は、モノＣ８〜１０アルキルモノヒドロキシエチルジメチル第四級アンモニウムクロリド、モノＣ１０〜１２アルキルモノヒドロキシエチルジメチル第四級アンモニウムクロリド、及びモノＣ１０アルキルモノヒドロキシエチルジメチル第四級アンモニウムクロリドである。
【００５９】
双極性及び／又は両性の洗浄界面活性剤：好適な双極性及び／又は両性の洗浄界面活性剤としては、ドデシルジメチルアミンＮ−オキシド等のアミンオキシド、アルカノールアミンスルホベタイン、ココ−アミドプロピルベタイン、ＨＮ＋−Ｒ−ＣＯ２−系界面活性剤（式中、Ｒは、アルキル、アルコキシ、アリール等の任意の架橋基であってよい）、又はアミノ酸が挙げられる。多くの好適な洗剤活性化合物は、入手可能であり、例えば、参照することによって本明細書に援用される「Ｓｕｒｆａｃｅ−Ａｃｔｉｖｅ  Ａｇｅｎｔｓ  ａｎｄ  Ｄｅｔｅｒｇｅｎｔｓ」、第Ｉ及びＩＩ巻、Ｓｃｈｗａｒｔｚ、Ｐｅｒｒｙ、及びＢｅｒｃｈ著に十分に記載されている。
【００６０】
ポリマー：好適なポリマーとしては、カルボキシレートポリマー、ポリエチレングリコールポリマー、テレフタレートポリマー等のポリエステル汚れ放出ポリマー、アミンポリマー、セルロース系ポリマー、移染阻害ポリマー、所望により１：４：１の比率のイミダゾールとエピクロロヒドリンとの縮合によって生成される縮合オリゴマー等の染料固定ポリマー、ヘキサメチレンジアミン誘導体ポリマー、及びこれらの任意の組み合わせが挙げられる。
【００６１】
カルボキシレートポリマー：好適なカルボキシレートポリマーとしては、マレエート／アクリレートランダムコポリマー、又はポリアクリレートホモポリマーが挙げられる。カルボキシレートポリマーは、４，０００Ｄａ〜９，０００Ｄａ、又は６，０００Ｄａ〜９，０００Ｄａの分子量を有するポリアクリレートホモポリマーであってよい。他の好適なカルボキシレートポリマーは、マレイン酸とアクリル酸とのコポリマーであり、４，０００Ｄａ〜９，０００Ｄａの範囲内の分子量を有し得る。
【００６２】
ポリエチレングリコールポリマー：好適なポリエチレングリコールポリマーとしては、（ｉ）ポリエチレングリコールを含む親水性骨格と、（ｉｉ）Ｃ４〜Ｃ２５アルキル基、ポリプロピレン、ポリブチレン、飽和Ｃ１〜Ｃ６モノカルボン酸のビニルエステル、アクリル酸又はメタクリル酸のＣ４〜Ｃ６アルキルエステル、及びこれらの混合物からなる群から選択される疎水性側鎖とを含むランダムグラフトコポリマーが挙げられる。好適なポリエチレングリコールポリマーは、ランダムグラフトポリビニルアセテート側鎖を有するポリエチレングリコール骨格を有する。ポリエチレングリコール骨格の平均分子量は、２，０００Ｄａ〜２０，０００Ｄａ、又は４，０００Ｄａ〜８，０００Ｄａの範囲内であってよい。ポリエチレングリコール骨格のポリビニルアセテート側鎖に対する分子量比は、１：１〜１：５、又は１：１．２〜１：２の範囲内であってよい。エチレンオキシド単位当りのグラフト部位の平均数は、１未満、又は０．８未満であってもよく、エチレンオキシド単位当りのグラフト部位の平均数は、０．５〜０．９の範囲内であってもよく、あるいはエチレンオキシド単位当りのグラフト部位の平均数は、０．１〜０．５、又は０．２〜０．４の範囲内であってもよい。好適なポリエチレングリコールポリマーは、Ｓｏｋａｌａｎ  ＨＰ２２である。
【００６３】
ポリエステル汚れ放出ポリマー：好適なポリエステル汚れ放出ポリマーは、以下の構造（ＩＩＩ）、構造（ＩＶ）、又は構造（Ｖ）のうちの１つによって定義される構造を有する。
（ＩＩＩ）−［（ＯＣＨＲ１−ＣＨＲ２）ａ−Ｏ−ＯＣ−Ａｒ−ＣＯ−］ｄ
（ＩＶ）−［（ＯＣＨＲ３−ＣＨＲ４）ｂ−Ｏ−ＯＣ−ｓＡｒ−ＣＯ−］ｅ
（Ｖ）−［（ＯＣＨＲ５−ＣＨＲ６）ｃ−ＯＲ７］ｆ
（式中、
ａ、ｂ、及びｃは、１〜２００であり、
ｄ、ｅ、及びｆは、１〜５０であり、
Ａｒは、１，４−置換フェニレンであり、
ｓＡｒは、位置５がＳＯ３Ｍｅにより置換されている１，３−置換フェニレンであり、
Ｍｅは、Ｈ、Ｎａ、Ｌｉ、Ｋ、Ｍｇ／２、Ｃａ／２、Ａｌ／３、アンモニウム、モノ−、ジ−、トリ−、若しくはテトラアルキルアンモニウム（アルキル基は、Ｃ１〜Ｃ１８アルキル又はＣ２〜Ｃ１０ヒドロキシアルキルである）、又はこれらの任意の混合物であり、
Ｒ１、Ｒ２、Ｒ３、Ｒ４、Ｒ５、及びＲ６は、独立して、Ｈ、又はＣ１〜Ｃ１８ｎ−若しくはイソ−アルキルから選択され、
Ｒ７は、直鎖若しくは分枝鎖Ｃ１〜Ｃ１８アルキル、又は直鎖若しくは分枝鎖Ｃ２〜Ｃ３０アルケニル、又は５〜９個の炭素原子を有するシクロアルキル基、又はＣ８〜Ｃ３０アリール基、又はＣ６〜Ｃ３０アリールアルキル基である）。好適なポリエステル汚れ放出ポリマーは、上記（ＩＩＩ）又は（ＩＶ）の構造を有する、テレフタレートポリマーである。
【００６４】
好適なポリエステル汚れ放出ポリマーとしては、Ｒｅｐｅｌ−ｏ−ｔｅｘ  ＳＦ２（Ｒｈｏｄｉａ）等のＲｅｐｅｌ−ｏ−ｔｅｘシリーズのポリマー、及び／又はＴｅｘｃａｒｅ  ＳＲＡ３００（Ｃｌａｒｉａｎｔ）等のＴｅｘｃａｒｅシリーズのポリマーが挙げられる。
【００６５】
他の好適な汚れ放出ポリマーとしては、例えば、スルホン化及び非スルホン化ＰＥＴ／ＰＯＥＴポリマー、末端保護されている及び末端保護されていないポリエチレングリコール（olyethylene glycol）／ポリビニルアルコールグラフトコポリマー（例えば、Ｓｏｋｏｌａｎ（商標）ＨＰ２２）を挙げることができる。
【００６６】
特に好ましい汚れ放出ポリマーは、参照することにより本明細書に援用される国際公開第９５  ３２９９７Ａ号（Ｒｈｏｄｉａ  Ｃｈｉｍｉｅ）に記載及び請求されているスルホン化非末端保護ポリエステルである。
【００６７】
アミンポリマー：好適なアミンポリマーとしては、所望によりポリエチレン及び／又はポリプロピレンオキシドブロックを含む、アルコキシル化ポリアルキレンイミン等のポリエチレンイミンポリマーが挙げられる。
【００６８】
セルロース系ポリマー：組成物は、アルキルセルロース、アルキルアルコキシアルキルセルロース、カルボキシアルキルセルロース、アルキルカルボキシアルキル、及びこれらの任意の組み合わせから選択されるポリマー等のセルロース系ポリマーを含んでよい。好適なセルロース系ポリマーは、カルボキシメチルセルロース、メチルセルロース、メチルヒドロキシエチルセルロース、メチルカルボキシメチルセルロース、及びこれらの混合物から選択される。カルボキシメチルセルロースは、０．５〜０．９のカルボキシメチル置換度、及び１００，０００Ｄａ〜３００，０００Ｄａの分子量を有し得る。別の好適なセルロース系ポリマーは、Ｆｉｎｎｆｉｘ  ＳＨ−１（ＣＰ  Ｋｅｌｃｏ）等の疎水変性カルボキシメチルセルロースである。
【００６９】
他の好適なセルロース系ポリマーは、０．０１〜０．９９の置換度（ＤＳ）と、ＤＳ＋ＤＢが少なくとも１．００であるか又はＤＢ＋２ＤＳ−ＤＳ２が少なくとも１．２０であるようなブロック度（ＤＢ）とを有し得る。置換セルロース系ポリマーは、少なくとも０．５５の置換度（ＤＳ）を有し得る。置換セルロース系ポリマーは、少なくとも０．３５のブロック度（ＤＢ）を有し得る。置換セルロース系ポリマーは、１．０５〜２．００のＤＳ＋ＤＢを有し得る。好適な置換セルロース系ポリマーは、カルボキシメチルセルロースである。
【００７０】
別の好適な置換セルロース系ポリマーは、カチオン変性ヒドロキシエチルセルロースである。
【００７１】
ランダムグラフトコポリマー。好適なランダムグラフトコポリマーは、典型的に、（ｉ）５０以上９８重量％未満の、カルボキシル基を含む１つ以上のモノマーから誘導される構造単位と、（ｉｉ）１以上４９重量％未満の、スルホネート部分を含む１つ以上のモノマーから誘導される構造単位と、（ｉｉｉ）１〜４９重量％の、式（ＶＩ）及び（ＶＩＩ）により表されるエーテル結合含有モノマーから選択される１種以上のモノマーから誘導される構造単位とを含む。
【００７２】
【化２】
2015524015.tif 000005
（式（ＶＩ）中、Ｒ０は、水素原子又はＣＨ３基を表し、Ｒは、ＣＨ２基、ＣＨ２ＣＨ２基又は単結合を表し、Ｘは、０〜５の数を表すが、但し、Ｒが単結合である場合、Ｘは１〜５の数を表し、Ｒ１は、水素原子又はＣ１〜Ｃ２０有機基である）
【００７３】
【化３】
2015524015.tif 000006
（式（ＶＩＩ）中、Ｒ０は、水素原子又はＣＨ３基を表し、Ｒは、ＣＨ２基、ＣＨ２ＣＨ２基又は単結合を表し、Ｘは、０〜５の数を表し、Ｒ１は、水素原子又はＣ１〜Ｃ２０有機基である）。
【００７４】
移染阻害ポリマー：好適な移染阻害（ＤＴＩ）ポリマーとしては、ポリビニルピロリドン（ＰＶＰ）、ピロリドンとイミダゾリンとのビニルコポリマー（ＰＶＰＶＩ）、ポリビニルＮ−オキシド（ＰＶＮＯ）、及びこれらの任意の混合物が挙げられる。
【００７５】
ヘキサメチレンジアミン誘導体ポリマー：好適なポリマーとしては、典型的には式（ＶＩＩＩ）を有するヘキサメチレンジアミン誘導体ポリマーが挙げられる。
（ＶＩＩＩ）
Ｒ２（ＣＨ３）Ｎ＋（ＣＨ２）６Ｎ＋（ＣＨ３）Ｒ２．２Ｘ−
（式中、Ｘ−は、好適な対イオン、例えば、塩化物イオンであり、Ｒは、２０〜３０の平均エトキシル化度を有するポリ（エチレングリコール）鎖である）。任意で、ポリ（エチレングリコール）鎖は、独立して、サルフェート基及び／又はスルホネート基で保護されてよく、典型的に、Ｘ−対イオンの数を低減するか、又は（分子当たりの平均硫酸化度が２よりも大きい場合には）Ｙ＋対イオン、例えばナトリウムカチオンを導入することによって、荷電が平衡化されている。
【００７６】
ビルダー：好適なビルダーとしては、ゼオライト、リン酸塩、クエン酸塩、及びこれらの任意の組み合わせが挙げられる。
【００７７】
ゼオライトビルダー：組成物は、ゼオライトビルダーを実質的に含まなくてよい。ゼオライトビルダーを実質的に含まないとは、典型的に、０重量％〜１０重量％のゼオライトビルダー、あるいは８重量％以下、又は６重量％以下、又は４重量％以下、又は３重量％以下、又は２重量％以下、又は更には１重量％以下のゼオライトビルダーしか含まないことを意味する。ゼオライトビルダーを実質的に含まないとは、好ましくは、ゼオライトビルダーが「意図的に添加されない」ことを意味する。典型的なゼオライトビルダーとしては、ゼオライトＡ、ゼオライトＰ、ゼオライトＭＡＰ、ゼオライトＸ、及びゼオライトＹが挙げられる。
【００７８】
リン酸ビルダー：組成物は、リン酸ビルダーを実質的に含まなくてよい。リン酸ビルダーを実質的に含まないとは、典型的に、０重量％〜１０重量％のリン酸ビルダー、あるいは８重量％以下、又は６重量％以下、又は４重量％以下、又は３重量％以下、又は２重量％以下、又は更には１重量％以下のリン酸ビルダーしか含まないことを意味する。リン酸ビルダーを実質的に含まないとは、好ましくは、リン酸ビルダーが「意図的に添加されない」ことを意味する。典型的なリン酸ビルダーは、オルトリン酸ナトリウム及び／又はピロリン酸ナトリウムと組み合わせて用いてよいトリポリリン酸ナトリウム（ＳＴＰＰ）である。
【００７９】
これらに加えて又は代えて存在してよい他の無機ビルダーとしては、炭酸ナトリウム及び／又は重炭酸ナトリウムが挙げられる。
【００８０】
存在してよい有機ビルダーとしては、ポリカルボキシレートポリマー、例えば、ポリアクリレート及びアクリル酸／マレイン酸コポリマー；ポリアスパルテート；モノマーポリカルボキシレート、例えば、シトレート、グルコネート、オキシジスクシネート、グリセロールモノ−、ジ−、及びトリ−スクシネート、カルボキシメチルオキシスクシネート、カルボキシ−メチルオキシマロネート、ジピコリネート、ヒドロキシエチルイミノジアセテート、アルキル−及びアルケニルマロネート及びスクシネート；並びにスルホン化脂肪酸塩が挙げられる。
【００８１】
クエン酸塩：好適なクエン酸塩は、クエン酸ナトリウムである。しかし、洗浄液中でクエン酸塩を形成することができるクエン酸を組成物中に配合してもよい。
【００８２】
緩衝剤及びアルカリ源：好適な緩衝剤及びアルカリ源としては、炭酸塩及び／又はケイ酸塩及び／又はバーカイト等の複塩が挙げられる。
【００８３】
炭酸塩：好適な炭酸塩は、炭酸ナトリウム及び／又は重炭酸ナトリウムである。組成物は、重炭酸塩を含み得る。組成物は、低濃度の炭酸塩を含むことが好適であり得、例えば、組成物は、０重量％〜１０重量％の炭酸塩、あるいは８重量％以下、又は６重量％以下、又は４重量％以下、又は３重量％以下、又は２重量％以下、又は更には１重量％以下の炭酸塩を含むことが好適であり得る。組成物は、更には、炭酸塩を実質的に含まなくてもよく、実質的に含まないとは、「意図的に添加されない」ことを意味する。
【００８４】
炭酸塩は、１００〜５００マイクロメートルの重量平均粒径を有し得る。あるいは、炭酸塩は、１０〜２５マイクロメートルの重量平均粒径を有し得る。
【００８５】
ケイ酸塩：組成物は、０重量％〜２０重量％のケイ酸塩、又は１５重量％以下、又は１０重量％以下、又は５重量％以下、又は４重量％以下、又は更には２重量％以下のケイ酸塩を含み得、且つ０重量％超、又は０．５重量％以上、又は更には１重量％以上のケイ酸塩を含み得る。ケイ酸塩は、結晶質又は非晶質であってよい。好適な結晶質ケイ酸塩としては、ＳＫＳ−６等の結晶質層状ケイ酸塩が挙げられる。他の好適なケイ酸塩としては、１．６Ｒケイ酸塩及び／又は２．０Ｒケイ酸塩が挙げられる。好適なケイ酸塩は、ケイ酸ナトリウムである。別の好適なケイ酸塩は、メタケイ酸ナトリウムである。
【００８６】
充填剤：組成物は、０重量％〜７０重量％の充填剤を含み得る。好適な充填剤としては、硫酸塩及び／又はバイオ充填剤材料が挙げられる。
【００８７】
硫酸塩：好適な硫酸塩は、硫酸ナトリウムである。硫酸塩は、１００〜５００マイクロメートルの重量平均粒径を有し得るか、又は硫酸塩は、１０〜４５マイクロメートルの重量平均粒径を有し得る。
【００８８】
バイオ充填剤材料：好適なバイオ充填剤材料は、アルカリ処理及び／又は漂白処理された農業廃棄物である。
【００８９】
漂白剤：組成物は、漂白剤を含み得る。あるいは、組成物は、漂白剤を実質的に含まなくてもよく、実質的に含まないとは、「意図的に添加されない」ことを意味する。好適な漂白剤としては、漂白活性化剤、有効酸素の供給源、予形成過酸、漂白触媒、還元漂白剤、及びこれらの任意の組み合わせが挙げられる。存在する場合には、漂白剤、又はその任意の成分（例えば、予形成過酸）は、カプセル化等によりコーティングすることができ、又は尿素若しくはシクロデキストリンを使用する等によりクラスレート化することができる。
【００９０】
漂白活性化剤：好適な漂白活性化剤としては、テトラアセチルエチレンジアミン（ＴＡＥＤ）；ノナノイルオキシベンゼンスルホネート（ＮＯＢＳ）、カプリルアミドノナノイルオキシベンゼンスルホネート（ＮＡＣＡ−ＯＢＳ）、３，５，５−トリメチルヘキサノイルオキシベンゼンスルホネート（Ｉｓｏ−ＮＯＢＳ）、ドデシルオキシベンゼンスルホネート（ＬＯＢＳ）、及びこれらの任意の混合物等のオキシベンゼンスルホネート；カプロラクタム；グルコースペンタアセテート（ＰＡＧ）；ニトリル第四級アンモニウム；Ｎ−ノナノイル−Ｎ−メチルアセトアミド等のイミド漂白活性化剤；及びこれらの任意の混合物が挙げられる。
【００９１】
有効酸素の供給源：好適な有効酸素（ＡｖＯｘ）の供給源は、過炭酸塩及び／又は過ホウ酸塩等の過酸化水素の供給源、例えば、過炭酸ナトリウムである。過酸素の供給源は、炭酸塩、硫酸塩、ケイ酸塩、ホウケイ酸、又はこれらの混合塩を含むこれらの任意の混合物等のコーティング成分によって、少なくとも部分的に被覆コーティングしてもよく、又は更には完全にコーティングしてもよい。好適な過炭酸塩は、流動床プロセスによって、又は結晶化プロセスによって調製することができる。好適な過ホウ酸塩としては、過ホウ酸ナトリウム一水和物（ＰＢ１）、過ホウ酸ナトリウム四水和物（ＰＢ４）、及び発泡性過ホウ酸ナトリウムとしても既知の無水過ホウ酸ナトリウムが挙げられる。他の好適なＡｖＯｘの供給源としては、オキソン等の過流酸塩が挙げられる。別の好適なＡｖＯｘの供給源は、過酸化水素である。
【００９２】
予形成過酸：好適な予形成過酸は、Ｎ，Ｎ−フタロイルアミノ過酸化カプロン酸（ＰＡＰ）である。
【００９３】
漂白触媒：好適な漂白触媒としては、オキサジリジニウム系漂白触媒、遷移金属漂白触媒、及び漂白酵素が挙げられる。
【００９４】
オキサジリジニウム系漂白触媒：好適なオキサジリジニウム系漂白触媒は、式（ＩＸ）を有する。
【００９５】
【化４】
2015524015.tif 000007
（式中、Ｒ１は、Ｈ、３〜２４個の炭素を含む分枝鎖アルキル基、及び１〜２４個の炭素を含む直鎖アルキル基からなる群から選択され；Ｒ１は、６〜１８個の炭素を含む分枝鎖アルキル基、又は５〜１８個の炭素を含む直鎖アルキル基であってよく、Ｒ１は、２−プロピルヘプチル、２−ブチルオクチル、２−ペンチルノニル、２−ヘキシルデシル、ｎ−ヘキシル、ｎ−オクチル、ｎ−デシル、ｎ−ドデシル、ｎ−テトラデシル、ｎ−ヘキサデシル、ｎ−オクタデシル、イソ−ノニル、イソ−デシル、イソ−トリデシル、及びイソ−ペンタデシルからなる群から選択することができ；Ｒ２は、独立して、Ｈ、３〜１２個の炭素を含む分枝鎖アルキル基、及び１〜１２個の炭素を含む直鎖アルキル基からなる群から選択され；所望により、Ｒ２は、独立して、Ｈ、メチル、３〜１２個の炭素を含む分枝鎖アルキル基、及び１〜１２個の炭素を含む直鎖アルキル基からなる群より選択され、ｎは、０〜１の整数である）。オキサジリジニウム系漂白促進剤は、米国特許出願公開第２００６／００８９２８４号に従って製造することができる。
【００９６】
遷移金属漂白触媒：組成物は、典型的には、銅、鉄、チタン、ルテニウム、タングステン、モリブデン、及び／又はマンガンのカチオンを含む、遷移金属漂白触媒を含み得る。好適な遷移金属漂白触媒は、マンガン系遷移金属漂白触媒である。
【００９７】
還元漂白剤：組成物は、還元漂白剤を含み得る。しかし、組成物は、還元漂白剤を実質的に含まなくてもよく、実質的に含まないとは、「意図的に添加されない」ことを意味する。好適な還元漂白剤としては、亜硫酸ナトリウム及び／又は二酸化チオ尿素（ＴＤＯ）が挙げられる。
【００９８】
共漂白剤粒子：組成物は、共漂白剤粒子を含み得る。典型的には、共漂白剤粒子は、漂白活性化剤、及び過酸化物の供給源を含む。過酸化水素の供給源に対して大量の漂白活性化剤が共漂白剤粒子中に存在することが、非常に好適であり得る。共漂白剤粒子中に存在する、漂白活性化剤の過酸化水素の供給源に対する重量比は、少なくとも０．３：１、又は少なくとも０．６：１、又は少なくとも０．７：１、又は少なくとも０．８：１、又は少なくとも０．９：１、又は少なくとも１．０：１．０、又は更には少なくとも１．２：１以上であってよい。
【００９９】
共漂白剤粒子は、（ｉ）ＴＡＥＤ等の漂白活性化剤、及び（ｉｉ）過炭酸ナトリウム等の過酸化水素の供給源を含み得る。漂白活性化剤は、少なくとも部分的に、又は更には完全に、過酸化水素の供給源を封入することができる。
【０１００】
共漂白剤粒子は、結合剤を含み得る。好適な結合剤は、ポリアクリレートポリマー等のカルボキシレートポリマー、並びに／又は直鎖Ｃ１１〜Ｃ１３アルキルベンゼンスルホネート等の非イオン性洗浄界面活性剤及び／若しくはアニオン性洗浄界面活性剤を含む界面活性剤である。
【０１０１】
漂白安定剤（重金属捕捉剤）が存在してもよい。好適な漂白安定剤としては、エチレンジアミン四酢酸（ＥＤＴＡ）及びポリホスホネート、例えば、Ｄｅｑｕｅｓｔ（登録商標）、ＥＤＴＭＰが挙げられる。
【０１０２】
キレート剤：好適なキレート剤は、ジエチレントリアミン五酢酸、ジエチレントリアミンペンタ（メチルホスホン酸）、エチレンジアミン−Ｎ’Ｎ’−二コハク酸、エチレンジアミン四酢酸、エチレンジアミンテトラ（メチレンホスホン酸）、ヒドロキシエタンジ（メチレンホスホン酸）、及びこれらの任意の組み合わせから選択される。好適なキレート剤は、エチレンジアミン−Ｎ’Ｎ’−二コハク酸（ＥＤＤＳ）及び／又はヒドロキシエタンジホスホン酸（ＨＥＤＰ）である。洗濯洗剤組成物は、エチレンジアミン−Ｎ’Ｎ’−二コハク酸、又はその塩を含み得る。エチレンジアミン−Ｎ’Ｎ’−二コハク酸は、Ｓ，Ｓエナンチオマーの形態であってよい。組成物は、４，５−ジヒドロキシ−ｍ−ベンゼンジスルホン酸二ナトリウム塩を含み得る。好適なキレート剤はまた、カルシウム結晶成長抑制剤であってもよい。
【０１０３】
炭酸カルシウム結晶成長抑制剤：組成物は、１−ヒドロキシエタンジホスホン酸（ＨＥＤＰ）及びその塩、Ｎ，Ｎ−ジカルボキシメチル−２−アミノペンタン−１，５−二酸及びその塩、２−ホスホノブタン−１，２，４−トリカルボン酸及びその塩、並びにこれらの任意の組み合わせからなる群から選択されるもの等の炭酸カルシウム結晶成長抑制剤を含み得る。
【０１０４】
光漂白剤：好適な光漂白剤は、スルホン化フタロシアニン亜鉛及び／又はアルミニウムである。
【０１０５】
増白剤。組成物は、４，４’−ビス（２−スルホスチリル）ビフェニル二ナトリウム（Ｃ．Ｉ．蛍光増白剤３５１）；Ｃ．Ｉ．蛍光増白剤２６０、又は他の基によって置換されているそのアニリノ−又はモルホリノ−基を有するアナログ等の蛍光増白剤を含むことが好ましい場合がある。好適なＣ．Ｉ．蛍光増白剤２６０は、以下の構造（Ｘ）を有し得る：
【０１０６】
【化５】
2015524015.tif 000008
（式中、Ｃ．Ｉ．蛍光増白剤２６０は、
主に、アルファ−結晶質形態であるか、又は
主に、ベータ−結晶質形態であり、且つ３〜３０マイクロメートルの重量平均一次粒径を有する）。
【０１０７】
組成物は、好ましくは、Ｃｉｂａ  Ｓｐｅｃｉａｌｔｙ  ＣｈｅｍｉｃａｌｓからＴｉｎｏｐａｌ（登録商標）ＰＬＣとして市販されているビス（スルホベンゾフラニル）ビフェニル等の漂白安定性蛍光増白剤を含んでよい。
【０１０８】
色相剤：色相剤（本明細書では、色相染料としても定義される）は、典型的には、布地の白色度の知覚を改善するために、洗浄液から布地上に付着するように製剤化される。色相剤は、典型的には、青又は紫である。色相剤は、５５０ｎｍ〜６５０ｎｍ、又は５７０ｎｍ〜６３０ｎｍのピーク吸収波長を有することが好適であり得る。色相剤は、ポリエステル上で５５０ｎｍ〜６５０ｎｍ、又は５７０ｎｍ〜６３０ｎｍのピーク吸収波長を有する単一染料として、人間の目に対して一体となって視覚効果を及ぼす染料の組み合わせであってよい。これは、例えば、赤と緑−青の染料とを混合して青又は紫の色合いを生じさせることにより提供され得る。
【０１０９】
染料は、典型的には、界面活性剤を含む水性媒体に可溶性である、有色の有機分子である。染料は、塩基性染料、酸性染料、疎水性染料、直接染料、及び高分子染料、並びに染料抱合体の部類から選択することができる。好適なポリマー色相染料は、例えば、Ｍｉｌｌｉｋｅｎ（Ｓｐａｒｔａｎｂｕｒｇ，Ｓｏｕｔｈ  Ｃａｒｏｌｉｎａ，ＵＳＡ）から市販されている。
【０１１０】
好適な染料の例は、バイオレットＤＤ、ダイレクトバイオレット７、ダイレクトバイオレット９、ダイレクトバイオレット１１、ダイレクトバイオレット２６、ダイレクトバイオレット３１、ダイレクトバイオレット３５、ダイレクトバイオレット４０、ダイレクトバイオレット４１、ダイレクトバイオレット５１、ダイレクトバイオレット６６、ダイレクトバイオレット９９、アシッドバイオレット５０、アシッドブルー９、アシッドバイオレット１７、アシッドブラック１、アシッドレッド１７、アシッドブルー２９、ソルベントバイオレット１３、ディスパースバイオレット２７、ディスパースバイオレット２６、ディスパースバイオレット２８、ディスパースバイオレット６３、及びディスパースバイオレット７７、ベーシックブルー１６、ベーシックブルー６５、ベーシックブルー６６、ベーシックブルー６７、ベーシックブルー７１、ベーシックブルー１５９、ベーシックバイオレット１９、ベーシックバイオレット３５、ベーシックバイオレット３８、ベーシックバイオレット４８；ベーシックブルー３、ベーシックブルー７５、ベーシックブルー９５、ベーシックブルー１２２、ベーシックブルー１２４、ベーシックブルー１４１、チアゾリウム染料、リアクティブブルー１９、リアクティブブルー１６３、リアクティブブルー１８２、リアクティブブルー９６、Ｌｉｑｕｉｔｉｎｔ（登録商標）Ｖｉｏｌｅｔ  ＣＴ（Ｍｉｌｌｉｋｅｎ（Ｓｐａｒｔａｎｂｕｒｇ，ＵＳＡ））及びアゾ−ＣＭ−セルロース（Ｍｅｇａｚｙｍｅ（Ｂｒａｙ，Ｒｅｐｕｂｌｉｃ  ｏｆ  Ｉｒｅｌａｎｄ））である。他の好適な色相剤は、スルホン化フタロシアニン亜鉛とダイレクトバイオレット９９との抱合体等の色相染料−光漂白抱合体である。特に好適な色相剤は、アシッドレッド５２とアシッドブルー８０との組み合わせ、又はダイレクトバイオレット９とソルベントバイオレット１３との組み合わせである。
【０１１１】
増白剤：好適な増白剤は、増白剤１５等のスチルベンである。他の好適な増白剤は、疎水性増白剤、及び増白剤４９である。増白剤は、３〜３０マイクロメートル、又は３マイクロメートル〜２０マイクロメートル、又は３〜１０マイクロメートルの範囲内の重量平均粒径を有する微粉化粒子形態であってよい。増白剤は、α又はβ結晶形態であってよい。
【０１１２】
酵素：好適な酵素としては、プロテアーゼ、アミラーゼ、セルラーゼ、リパーゼ、キシログルカナーゼ、ペクチン酸リアーゼ、マンナナーゼ、漂白酵素、クチナーゼ、及びこれらの混合物が挙げられる。
【０１１３】
酵素に関しては、括弧内に示されるアクセッション番号及びＩＤは、Ｇｅｎｂａｎｋ、ＥＭＢＬ、及び／又はＳｗｉｓｓ−Ｐｒｏｔのデータベースにおける項目番号を指す。いずれの突然変異体に関しても、標準的なアミノ酸の１文字表記が、欠失を表す＊と共に使用される。ＤＳＭが前に付くアクセッション番号は、Ｄｅｕｔｓｃｈｅ  Ｓａｍｍｌｕｎｇ  ｖｏｎ  Ｍｉｋｒｏｏｒｇａｎｉｓｍｅｎ  ｕｎｄ  Ｚｅｌｌｋｕｌｔｕｒｅｎ  ＧｍｂＨ（Ｍａｓｃｈｅｒｏｄｅｒ  Ｗｅｇ  １ｂ，３８１２４  Ｂｒｕｎｓｗｉｃｋ）（ＤＳＭＺ）に寄託されている微生物を指す。
【０１１４】
プロテアーゼ。組成物は、プロテアーゼを含み得る。好適なプロテアーゼとしては、サブチリシン（ＥＣ  ３．４．２１．６２）等の中性又はアルカリ性の微生物セリンプロテアーゼを含むメタロプロテアーゼ及び／又はセリンプロテアーゼが挙げられる。好適なプロテアーゼとしては、動物、植物又は微生物由来のものが挙げられる。１つの態様では、このような好適なプロテアーゼは、微生物起源のものであってよい。好適なプロテアーゼとしては、前述の好適なプロテアーゼの化学的に又は遺伝的に改変された変異体が挙げられる。１つの態様では、好適なプロテアーゼは、アルカリ性微生物プロテアーゼ又は／及びトリプシン型プロテアーゼ等のセリンプロテアーゼであり得る。好適な中性又はアルカリ性プロテアーゼの例としては、以下のものが挙げられる。
（ａ）バチルス・レンタス（Bacillus lentus）、バチルス・アルカロフィラス（Bacillus alkalophilus）（Ｐ２７９６３，ＥＬＹＡ＿ＢＡＣＡＯ）、バチルス・ズブチルス（Bacillus subtilis）、バチルス・アミロリケファシエンス（Bacillus amyloliquefaciens）（Ｐ００７８２，ＳＵＢＴ＿ＢＡＣＡＭ）、バチルス・プミルス（Bacillus pumilus）（Ｐ０７５１８）、及びバチルス・ギブソン（Bacillus gibsonii）（ＤＳＭ１４３９１）等のバチルス属（Bacillus）に由来するものを含むサブチリシン（ＥＣ  ３．４．２１．６２）。
（ｂ）フサリウムプロテアーゼ、及びＣｅｌｌｕｍｏｎａｓ（Ａ２ＲＱＥ２）に由来するキモトリプシンプロテアーゼを含む（例えば、ブタ起源又はウシ起源の）トリプシン等のトリプシン型又はキモトリプシン型プロテアーゼ。
（ｃ）バチルス・アミロリケファシエンス（Bacillus amyloliquefaciens）（Ｐ０６８３２，ＮＰＲＥ＿ＢＡＣＡＭ）に由来するものを含むメタロプロテアーゼ。
【０１１５】
好適なプロテアーゼとしては、サブチリシン３０９（Ｐ２９６００）及び／又はＤＳＭ５４８３（Ｐ２９５９９）等のバチルス・ギブソン（Bacillus gibsonii）又はバチルス・レンタス（Bacillus Lentus）に由来するものが挙げられる。
【０１１６】
好適な市販のプロテアーゼ酵素としては、Ｎｏｖｏｚｙｍｅｓ  Ａ／Ｓ（Ｄｅｎｍａｒｋ）からＡｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）、及びＥｓｐｅｒａｓｅ（登録商標）の商品名で販売されているもの；Ｇｅｎｅｎｃｏｒ  ＩｎｔｅｒｎａｔｉｏｎａｌからＭａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）、及びＰｕｒａｆｅｃｔ  ＯＸＰ（登録商標）の商品名で販売されているもの；Ｓｏｌｖａｙ  ＥｎｚｙｍｅｓからＯｐｔｉｃｌｅａｎ（登録商標）、及びＯｐｔｉｍａｓｅ（登録商標）の商品名で販売されているもの；Ｈｅｎｋｅｌ／Ｋｅｍｉｒａより入手可能なもの、すなわち、ＢＬＡＰ（以下の突然変異Ｓ９９Ｄ＋Ｓ１０１Ｒ＋Ｓ１０３Ａ＋Ｖ１０４Ｉ＋Ｇ１５９Ｓを有するＰ２９５９９）、並びにＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）を含むその変異体（すべてＨｅｎｋｅｌ／Ｋｅｍｉｒａ製）；並びに花王製のＫＡＰ（突然変異Ａ２３０Ｖ＋Ｓ２５６Ｇ＋Ｓ２５９Ｎを有するバチルス・アルカロフィラス（Bacillus alkalophilus）サブチリシン）が挙げられる。
【０１１７】
別の態様では、好適なタンパク質分解酵素（プロテアーゼ）は、加水分解反応において、布地の汚れとして存在するとき、株のタンパク質の種類を分解したり変化させたりする触媒的に活性のあるタンパク質であってよい。酵素は、植物、動物、細菌、又は酵母起源等の任意の好適な起源であってもよい。４〜１２の範囲の様々なｐＨ範囲において活性を有する、様々な品質及び起源のタンパク質分解酵素又はプロテアーゼが入手可能である。高い及び低い等電点のプロテアーゼが好適である。
【０１１８】
アミラーゼ：好適なアミラーゼは、細菌由来又は真菌由来のものを含むα−アミラーゼである。化学的に又は遺伝的に改変された突然変異体（変異体）が含まれる。好適なアルカリ性α−アミラーゼは、バチルス・リケニフォルミス（Bacillus licheniformis）、バチルス・アミロリケファシエンス（Bacillus amyloliquefaciens）、バチルス・ステアロサーモフィルス（Bacillus stearothermophilus）、バチルス・ズブチルス（Bacillus subtilis）、又は他のバチルス属（Bacillus sp.）、例えばバチルス属ＮＣＩＢ  １２２８９、ＮＣＩＢ  １２５１２、ＮＣＩＢ  １２５１３、ｓｐ  ７０７、ＤＳＭ  ９３７５、ＤＳＭ  １２３６８、ＤＳＭ  ｎｏ．１２６４９、ＫＳＭ  ＡＰ１３７８、ＫＳＭ  Ｋ３６、若しくはＫＳＭ  Ｋ３８等のバチルス属の菌株に由来する。好適なアミラーゼとしては、以下のものが挙げられる。
（ａ）バチルス・リケニフォルミス（Bacillus licheniformis）（Ｐ０６２７８，ＡＭＹ＿ＢＡＣＬＩ）に由来するα−アミラーゼ、及びその変異体、特に、位置１５、２３、１０５、１０６、１２４、１２８、１３３、１５４、１５６、１８１、１８８、１９０、１９７、２０２、２０８、２０９、２４３、２６４、３０４、３０５、３９１、４０８、及び４４４のうちの１つ以上に置換を有する変異体。
（ｂ）ＡＡ５６０アミラーゼ（ＣＢＵ３０４５７，ＨＤ０６６５３４）、及びその変異体、特に、位置２６、３０、３３、８２、３７、１０６、１１８、１２８、１３３、１４９、１５０、１６０、１７８、１８２、１８６、１９３、２０３、２１４、２３１、２５６、２５７、２５８、２６９、２７０、２７２、２８３、２９５、２９６、２９８、２９９、３０３、３０４、３０５、３１１、３１４、３１５、３１８、３１９、３３９、３４５、３６１、３７８、３８３、４１９、４２１、４３７、４４１、４４４、４４５、４４６、４４７、４５０、４６１、４７１、４８２、４８４のうちの１つ以上に置換を有し、また所望によりＤ１８３＊及びＧ１８４＊の欠失も含む変異体。
（ｃ）（ａ）９、２６、１４９、１８２、１８６、２０２、２５７、２９５、２９９、３２３、３３９及び３４５のうち１つ以上の位置における突然変異、並びに（ｂ）任意で、１１８、１８３、１８４、１９５、３２０及び４５８のうちの１つ以上、好ましくはすべての位置に置換及び／又は欠失（存在する場合には、好ましくはＲ１１８Ｋ、Ｄ１８３＊、Ｇ１８４＊、Ｎ１９５Ｆ、Ｒ３２０Ｋ及び／又はＲ４５８Ｋを含む）を有するＤＳＭ  １２６４９。
（ｄ）バチルスＳＰ７２２（ＣＢＵ３０４５３、ＨＤ０６６５２６）由来の野生型酵素と少なくとも９０％の相同性を呈する変異体、特に、１８３及び１８４の位置に欠失を有する変異体。
【０１１９】
好適な市販のα−アミラーゼは、Ｄｕｒａｍｙｌ（登録商標）、Ｌｉｑｕｅｚｙｍｅ（登録商標）、Ｔｅｒｍａｍｙ（登録商標）、Ｔｅｒｍａｍｙｌ  Ｕｌｔｒａ（登録商標）、Ｎａｔａｌａｓｅ（登録商標）、Ｓｕｐｒａｍｙｌ（登録商標）、Ｓｔａｉｎｚｙｍｅ（登録商標）、Ｓｔａｉｎｚｙｍｅ  Ｐｌｕｓ（登録商標）、Ｆｕｎｇａｍｙｌ（登録商標）、及びＢＡＮ（登録商標）（Ｎｏｖｏｚｙｍｅｓ  Ａ／Ｓ）、Ｂｉｏａｍｙｌａｓｅ（登録商標）及びその変異体（Ｂｉｏｃｏｎ  Ｉｎｄｉａ  Ｌｔｄ．）、Ｋｅｍｚｙｍ（登録商標）ＡＴ  ９０００（Ｂｉｏｚｙｍ  Ｇｅｓ．ｍ．ｂ．Ｈ，Ａｕｓｔｒｉａ）、Ｒａｐｉｄａｓｅ（登録商標）、Ｐｕｒａｓｔａｒ（登録商標）、Ｏｐｔｉｓｉｚｅ  ＨＴ  Ｐｌｕｓ（登録商標）、Ｅｎｚｙｓｉｚｅ（登録商標）、Ｐｏｗｅｒａｓｅ（登録商標）、及びＰｕｒａｓｔａｒ  Ｏｘａｍ（登録商標）、Ｍａｘａｍｙｌ（登録商標）（Ｇｅｎｅｎｃｏｒ  Ｉｎｔｅｒｎａｔｉｏｎａｌ  Ｉｎｃ．）並びにＫＡＭ（登録商標）（花王、日本）である。好適なアミラーゼは、ＮＡＴＡＬＡＳＥ（登録商標）、Ｓｔａｉｎｚｙｍｅ（登録商標）、及びＳｔａｉｎｚｙｍｅ  Ｐｌｕｓ（登録商標）である。
【０１２０】
セルラーゼ：組成物は、セルラーゼを含み得る。好適なセルラーゼとしては、細菌由来又は真菌由来のセルラーゼが挙げられる。化学的に改変された又はタンパク質が遺伝子操作された突然変異体が含まれる。好適なセルラーゼとしては、バチルス属、シュードモナス属（Pseudomonas）、フミコーラ属（Humicola）、フサリウム属（Fusarium）、チェラビア属（Thielavia）、アクレモニウム属（Acremonium）由来のセルラーゼ、例えば、フミコーラ・インソレンス（Humicola insolens）、ミセリオフィソーラ・サーモフィラ（Myceliophthora thermophila）、及びフサリウム・オキシスポラム（Fusarium oxysporum）から産生される真菌セルラーゼが挙げられる。
【０１２１】
市販のセルラーゼとしては、Ｃｅｌｌｕｚｙｍｅ（登録商標）及びＣａｒｅｚｙｍｅ（登録商標）（Ｎｏｖｏｚｙｍｅｓ  Ａ／Ｓ）、Ｃｌａｚｉｎａｓｅ（登録商標）及びＰｕｒａｄａｘ  ＨＡ（登録商標）（Ｇｅｎｅｎｃｏｒ  Ｉｎｔｅｒｎａｔｉｏｎａｌ  Ｉｎｃ．）、並びにＫＡＣ−５００（Ｂ）（登録商標）（花王）が挙げられる。
【０１２２】
セルラーゼとしては、エンド−β−１，４−グルカナーゼ活性（Ｅ．Ｃ．３．２．１．４）を示す微生物由来のエンドグルカナーゼを挙げることができ、バチルス属ＡＡ３４９のメンバーの内因性細菌ポリペプチド、及びこれらの混合物が含まれる。好適なエンドグルカナーゼは、商品名Ｃｅｌｌｕｃｌｅａｎ（登録商標）及びＷｈｉｔｅｚｙｍｅ（登録商標）（Ｎｏｖｏｚｙｍｅｓ  Ａ／Ｓ（Ｂａｇｓｖａｅｒｄ，Ｄｅｎｍａｒｋ））として販売されている。
【０１２３】
Ｗｈｉｔｅｚｙｍｅ（登録商標）等の好適なセルラーゼはまた、キシログルカナーゼ活性も呈し得る。
【０１２４】
リパーゼ。組成物は、リパーゼを含み得る。好適なリパーゼとしては、細菌由来又は真菌由来のものが挙げられる。化学的に改変された又はタンパク質が遺伝子操作された突然変異体が含まれる。有用なリパーゼの例としては、例えば、Ｈ．ラヌギノサ（H. lanuginosa）（Ｔ．ラヌギノサス）（T. lanuginosus））又はＨ．インソレンス（H. insolens）等のフミコーラ属（別名サーモマイセス属（Thermomyces））由来のリパーゼ；例えば、Ｐ．アルカリゲネス（P. alcaligenes）又はＰ．シュードアルカリゲネス（P. pseudoalcaligenes）、Ｐ．セパシア（P. epacia）、Ｐ．スタットゼリ（P. tutzeri）、Ｐ．フルオレセンス（P. fluorescens）、シュードモナスＳＤ  ７０５株、Ｐ．ウィスコシネンシス（P. wisconsinensis）等のシュードモナス属のリパーゼ；例えば、Ｂ．ズブチルス（B. subtilis）、Ｂ．ステアロサーモフィルス（B. stearothermophilus）、又はＢ．プミルス（B. pumilus）等のバチルス属のリパーゼが挙げられる。
【０１２５】
このリパーゼは、「第１サイクルのリパーゼ」であってよく、所望により、Ｔ２３１Ｒ及びＮ２３３Ｒの突然変異を含む、サーモマイセス・ラヌギノサス（Thermomyces lanuginosus）由来の野生型リパーゼの変異体であってよい。野生型配列は、Ｓｗｉｓｓｐｒｏｔのアクセッション番号Ｓｗｉｓｓ−Ｐｒｏｔ  Ｏ５９９５２の、（サーモマイセス・ラヌギノサス（Thermomyces lanuginosus）（フミコーラ・ラヌギノサ（Humicola lanuginosa））由来の）２６９個のアミノ酸（アミノ酸２３〜２９１）である。好適なリパーゼとしては、Ｎｏｖｏｚｙｍｅｓ（Ｂａｇｓｖａｅｒｄ，Ｄｅｎｍａｒｋ）から商品名Ｌｉｐｅｘ（登録商標）、Ｌｉｐｏｌｅｘ（登録商標）、及びＬｉｐｏｃｌｅａｎ（登録商標）として販売されているものが挙げられる。
【０１２６】
組成物は、野生型のアミノ酸と９０％超の相同性を有し、Ｔ２３１及び／又はＮ２３３、所望によりＴ２３１Ｒ及び／又はＮ２３３Ｒの置換を含む、サーモマイセス・ラヌギノサ（Thermomyces lanuginosa）（Ｏ５９９５２）リパーゼの変異体を含み得る。
【０１２７】
キシログルカナーゼ：好適なキシログルカナーゼ酵素は、キシログルカン基質及び非晶質セルロース基質の双方に対して酵素活性を有し得る。この酵素は、グリコシルヒドロラーゼ（ＧＨ）ファミリー５、１２、４４、４５又は７４から選択されるグリコシドヒドロラーゼであってよい。ＧＨファミリー４４から選択されるグリコシルヒドロラーゼが、特に好適である。ＧＨファミリー４４から選択される好適なグリコシルヒドロラーゼは、パエニバチルス・ポリキシマ（Paenibacillus polyxyma）（ＡＴＣＣ  ８３２）由来のＸＹＧ１００６グリコシルヒドロラーゼ、及びその変異体である。
【０１２８】
また、特に好適なのは、１７ｋＤａ〜３０ｋＤａの分子量を有する、ＧＨファミリー４  ５から選択されるグリコシルヒドロラーゼであり、例えば、Ｂｉｏｔｏｕｃｈ（登録商標）ＮＣＤ、ＤＣＣ、及びＤＣＬ（ＡＢ  Ｅｎｚｙｍｅｓ，Ｄａｒｍｓｔａｄｔ，Ｇｅｒｍａｎｙ）の商品名で販売されているエンドグルカナーゼである。
【０１２９】
ペクチン酸リアーゼ：好適なペクチン酸リアーゼは、Ｎｏｖｏｚｙｍｅｓ  Ａ／Ｓ（Ｂａｇｓｖａｅｒｄ，Ｄｅｎｍａｒｋ）から商品名Ｐｅｃｔａｗａｓｈ（登録商標）、Ｐｅｃｔａｗａｙ（登録商標）、及びＸ−Ｐｅｃｔ（登録商標）として販売されているバチルス属由来のペクチン酸リアーゼ（ＣＡＦ０５４４１、ＡＡＵ２５５６８）の野生型又は変異体である。
【０１３０】
マンナナーゼ：好適なマンナナーゼは、Ｎｏｖｏｚｙｍｅｓ  Ａ／Ｓ（Ｂａｇｓｖａｅｒｄ，Ｄｅｎｍａｒｋ）から商品名Ｍａｎｎａｗａｙ（登録商標）として、及びＧｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ）から商品名Ｐｕｒａｂｒｉｔｅ（登録商標）として販売されている。
【０１３１】
漂白酵素：好適な漂白酵素としては、酸化還元酵素、例えば、グルコースオキシダーゼ、コリンオキシダーゼ、又は炭水化物オキシダーゼ等のオキシダーゼ；オキシゲナーゼ；カタラーゼ；ハロペルオキシダーゼ、クロロペルオキシダーゼ、ブロモペルオキシダーゼ、リグニンペルオキシダーゼ、グルコースペルオキシダーゼ、又はマンガンペルオキシダーゼ等のペルオキシダーゼ；ジオキシゲナーゼ；又はラッカーゼ（フェノールオキシダーゼ、ポリフェノールオキシダーゼ）が挙げられる。好適な市販製品は、Ｎｏｖｏｚｙｍｅｓから商品名Ｇｕａｒｄｚｙｍｅ（登録商標）及びＤｅｎｉｌｉｔｅ（登録商標）として販売されている。追加の有機化合物、特に芳香族化合物を、漂白酵素と共に配合することが有利であり得、これら化合物は、漂白酵素と相互作用して、酸化還元酵素の活性を増強する（増強剤）か、又は酸化酵素と汚れとの間の、典型的には大きく異なる酸化還元電位にわたる電子流を促進する（媒介剤）。
【０１３２】
他の好適な漂白酵素としては、エステル基質及び過酸素源からの過酸の形成を触媒するペルヒドロラーゼが挙げられる。好適なペルヒドロラーゼとしては、マイコバクテリウム・スメグマチス（Mycobacterium smegmatis）のペルヒドロラーゼの変異体、いわゆるＣＥ−７ペルヒドロラーゼの変異体、及びペルヒドロラーゼ活性を保有する野生型サブチリシンＣａｒｌｓｂｅｒｇの変異体が挙げられる。
【０１３３】
クチナーゼ：好適なクチナーゼは、任意で、フサリウム・ソラニ（Fusarium solani）、シュードモナス・メンドシナ（Pseudomonas Mendocina）、又はフミコーラ・インソレンス（Humicola Insolens）のうちの１つに由来する野生型と少なくとも９０％、９５％、又は最も任意で少なくとも９８％の相同性を呈するＥ．Ｃ．クラス３．１．１．７３によって定義される。
【０１３４】
相同性。２つのアミノ酸配列の相関性は、「相同性」というパラメータによって表わされる。本発明の目的では、２つのアミノ酸配列のアラインメントは、ＥＭＢＯＳＳパッケージ（ｈｔｔｐ：／／ｅｍｂｏｓｓ．ｏｒｇ）バージョン２．８．０．からのＮｅｅｄｌｅプログラムを使用することにより、決定される。ニードルプログラムは、Ｎｅｅｄｌｅｍａｎ，Ｓ．Ｂ．及びＷｕｎｓｃｈ，Ｃ．Ｄ．（１９７０）Ｊ．Ｍｏｌ．Ｂｉｏｌ．、４８、４４３〜４５３に記載のグローバルアラインメントアルゴリズムを実行する。使用される置換マトリクスは、ＢＬＯＳＵＭ６２であり、ギャップ開始ペナルティは１０、ギャップ伸長ペナルティは０．５である。
【０１３５】
柔軟仕上げ剤：好適な布地柔軟化剤としては、粘土、シリコーン、及び／又は第四級アンモニウム化合物が挙げられる。好適な粘土としては、モンモリロナイト粘土、ヘクトライト粘土、及び／又はラポナイト粘土が挙げられる。好適な粘土は、モンモリロナイト粘土である。好適なシリコーンとしては、アミノシリコーン及び／又はポリジメチルシロキサン（ＰＤＭＳ）が挙げられる。好適な柔軟仕上げ剤は、モンモリロナイト粘土及びＰＤＭＳを含む粒子等の粘土及びシリコーンを含む粒子である。
【０１３６】
凝集剤：好適な凝集剤としては、例えば３００，０００Ｄａ〜９００，０００Ｄａの平均分子量を有するポリエチレンオキシドが挙げられる。
【０１３７】
抑泡剤：好適な抑泡剤としては、シリコーン、及び／又はステアリン酸等の脂肪酸が挙げられる。
【０１３８】
香料：好適な香料としては、香料マイクロカプセル、シッフ塩基香料／ポリマー複合体を含むポリマー支援香料送達システム、デンプンにカプセル化された香料アコード、香料充填ゼオライト、ブルーミング香料アコード、及びこれらの任意の組み合わせが挙げられる。好適な香料マイクロカプセルは、メラミンホルムアルデヒド系であり、典型的には、メラミンホルムアルデヒドを含むシェルによってカプセル化される香料を含む。このような香料マイクロカプセルは、ポリビニルホルムアミド（ＰＶＦ）及び／又はカチオン変性ヒドロキシエチルセルロース（ｃａｔＨＥＣ）等のカチオン性材料及び／又はカチオン性前駆体材料をシェル内に含むことが非常に好適であり得る。
【０１３９】
他の審美剤：好適な審美剤粒子としては、ソープリング、層状審美剤粒子、ゼラチンビーズ、炭酸塩及び／又は硫酸塩のスペックル、色土粒子、及びこれらの任意の組合せが挙げられる。
【０１４０】
布地の洗濯方法：布地の洗濯方法は、典型的に、組成物を水と接触させて洗浄液を形成する工程と、該洗浄液中で布地を洗濯する工程とを含み、典型的に、該洗浄液の温度は、０℃超且つ９０℃以下、又は６０℃以下、又は４０℃以下、又は３０℃以下、又は２０℃以下、又は１０℃以下、又は更には８℃以下である。布地は、洗濯洗剤組成物を水と接触させる前、又は後、又は同時に、水と接触させてよい。組成物は、前処理の用途で使用することができる。
【０１４１】
典型的には、洗浄液は、洗浄液中の洗濯洗剤組成物の濃度が、０ｇ／Ｌ超〜５ｇ／Ｌ、又は１ｇ／Ｌ以上且つ４．５ｇ／Ｌ以下、又は４．０ｇ／Ｌ以下、又は３．５ｇ／Ｌ以下、又は３．０ｇ／Ｌ以下、又は２．５ｇ／Ｌ以下、又は更に２．０ｇ／Ｌ以下、又は更に１．５ｇ／Ｌ以下になるような量で、洗濯洗剤を水に接触させることによって形成される。
【０１４２】
布地を洗濯する方法は、頂部充填式又は前側充填式自動洗濯機で実施してもよく、又は手洗い洗濯用途で使用してもよい。これら用途では、形成される洗浄液、及び洗浄液中の洗濯洗剤組成物の濃度は、主要洗浄サイクルのものである。洗浄液の容積を決定する際には、いずれの任意選択的なすすぎ工程中の、いずれの水の投入量も、含まれない。
【０１４３】
洗浄液は、４０リットル以下の水、又は３０リットル以下、又は２０リットル以下、又は１０リットル以下、又は８リットル以下、又は更には６リットル以下の水を含み得る。洗浄液は、０超〜１５リットル、又は２リット以上且つ１２リットル以下、又は更には８リットル以下の水を含み得る。
【０１４４】
典型的には、洗浄液１リットル当たり０．０１ｋｇ〜２ｋｇの布地が、洗浄液中に投入される。典型的には、洗浄液１リットル当たり０．０１ｋｇ以上、又は０．０５ｋｇ以上、又は０．０７ｋｇ以上、又は０．１０ｋｇ以上、又は０．１５ｋｇ以上、又は０．２０ｋｇ以上、又は０．２５ｋｇ以上の布地が、洗浄液中に投入される。
【０１４５】
所望により、５０ｇ以下、又は４５ｇ以下、又は４０ｇ以下、又は３５ｇ以下、又は３０ｇ以下、又は２５ｇ以下、又は２０ｇ以下、又は更に１５ｇ以下、又は更には１０ｇ以下の組成物を水に接触させて、洗浄液を形成する。
【０１４６】
また、洗濯洗剤組成物は、他の従来の洗剤成分を含有してもよい。
【０１４７】
再付着防止剤、例えば、セルロースエステル及びエーテル、例えば、カルボキシメチルセルロースナトリウムも存在してよい。
【０１４８】
存在し得る他の成分としては、溶媒、ヒドロトロープ、例えば、ナトリウム、又はカルシウムクメンスルホネート、カリウムナフタレンスルホネート等、蛍光剤、必要に応じて発泡促進剤又は発泡制御剤（消泡剤）、炭酸ナトリウム、炭酸水素ナトリウム、ケイ酸ナトリウム、硫酸ナトリウム、酢酸ナトリウム、ＴＥＡ−２５（カチルアルコールのポリエチレングリコールエーテル）、塩化カルシウム、他の無機塩類、流動助剤、例えば、シリカ及び非晶質アルミノシリケート、布地コンディショニング化合物、粘土及び汚れ除去／再付着防止剤、他の香料又はプロ香料、並びにこれら洗浄補助剤の１つ以上の組み合わせが挙げられる。
【０１４９】
低〜中バルク密度の粉末は、スラリーを噴霧乾燥させ、任意で更なる成分を後添加（乾燥混合）することによって調製してよい。「濃縮」又は「コンパクト」粉末は、例えば、高速ミキサ／造粒機を用いる混合及び造粒プロセス、又は他の非タワープロセスによって調製してよい。両方の種類の粉末において、視覚的に対比する本体は、後添加（乾燥混合）によって配合してよい。
【実施例】
【０１５０】
列挙する成分を率（特に記載しない限り活性物質の重量％）で合わせることによって、組成物を作製する。
【０１５１】
（実施例１）
緑色のリング形審美剤粒子
以下の組成物を用いて、緑色のリング形審美剤粒子を形成した：
【０１５２】
【表２】
2015524015.tif 000009
【０１５３】
橙色のリング形審美剤粒子
以下の組成物を用いて、橙色のリング形審美剤粒子を形成した：
【０１５４】
【表３】
2015524015.tif 000010
【０１５５】
（実施例２）
好適な顆粒状洗濯洗剤組成物
顆粒状乾燥洗濯洗剤組成物は、洗濯機又は手洗いプロセスにおいて使用するように設計した。
【０１５６】
【表４】
2015524015.tif 000011
＊  すべての酵素濃度は、洗剤組成物１００ｇ当たりのｒｕｇ活性酵素タンパク質として表した。
【０１５７】
界面活性剤成分は、ＢＡＳＦ（Ｌｕｄｗｉｇｓｈａｆｅｎ，Ｇｅｒｍａｎｙ）（Ｌｕｔｅｎｓｏｌ（登録商標））；Ｓｈｅｌｌ  Ｃｈｅｍｉｃａｌｓ（Ｌｏｎｄｏｎ，ＵＫ）；Ｓｔｅｐａｎ（Ｎｏｒｔｈｆｉｅｌｄ，Ｉｌｌ，ＵＳＡ）；Ｈｕｎｔｓｍａｎ（Ｈｕｎｔｓｍａｎ，Ｓａｌｔ  Ｌａｋｅ  Ｃｉｔｙ，Ｕｔａｈ，ＵＳＡ）；Ｃｌａｒｉａｎｔ（Ｓｕｌｚｂａｃｈ，Ｇｅｒｍａｎｙ）（Ｐｒａｅｐａｇｅｎ（登録商標））からから入手することができる。
【０１５８】
トリポリリン酸ナトリウムは、Ｒｈｏｄｉａ（Ｐａｒｉｓ，Ｆｒａｎｃｅ）から入手することができる。
【０１５９】
ゼオライトは、Ｉｎｄｕｓｔｒｉａｌ  Ｚｅｏｌｉｔｅ（ＵＫ）Ｌｔｄ（Ｇｒａｙｓ，Ｅｓｓｅｘ，ＵＫ）から入手することができる。
【０１６０】
クエン酸及びクエン酸ナトリウムは、Ｊｕｎｇｂｕｎｚｌａｕｅｒ（Ｂａｓｅｌ，Ｓｗｉｔｚｅｒｌａｎｄ）から入手することができる。
【０１６１】
ＮＯＢＳは、Ｅａｓｔｍａｎ（Ｂａｔｅｓｖｉｌｌｅ，Ａｒｋ．，ＵＳＡ）から供給されているナトリウムノナノイルオキシベンゼンスルホネートである。
【０１６２】
ＴＡＥＤは、Ｃｌａｒｉａｎｔ  ＧｍｂＨ（Ｓｕｌｚｂａｃｈ，Ｇｅｒｍａｎｙ）からＰｅｒａｃｔｉｖｅ（登録商標）のブランド名で供給されているテトラアセチルエチレンジアミンである。
【０１６３】
炭酸ナトリウム及び炭酸水素ナトリウムは、Ｓｏｌｖａｙ（Ｂｒｕｓｓｅｌｓ，Ｂｅｌｇｉｕｍ）から入手することができる。
【０１６４】
ポリアクリレート、ポリアクリレート／マレエートコポリマーは、ＢＡＳＦ（Ｌｕｄｗｉｇｓｈａｆｅｎ，Ｇｅｒｍａｎｙ）から入手することができる。
【０１６５】
Ｒｅｐｅｌ−ｏ−ｔｅｘは、Ｒｈｏｄｉａ（Ｐａｒｉｓ，Ｆｒａｎｃｅ）から入手することができる。
【０１６６】
Ｔｅｘｃａｒｅは、Ｃｌａｒｉａｎｔ（Ｓｕｌｚｂａｃｈ，Ｇｅｒｍａｎｙ）から入手することができる。
【０１６７】
過炭酸ナトリウム及び炭酸ナトリウムは、Ｓｏｌｖａｙ（Ｈｏｕｓｔｏｎ，Ｔｅｘ．，ＵＳＡ）から入手することができる。
【０１６８】
エチレンジアミン−Ｎ，Ｎ’−二コハク酸、（Ｓ，Ｓ）異性体（ＥＤＤＳ）のＮａ塩は、Ｏｃｔｅｌ（Ｅｌｌｅｓｍｅｒｅ  Ｐｏｒｔ，ＵＫ）から供給された。
【０１６９】
ヒドロキシエタンジホスホネート（ＨＥＤＰ）は、Ｄｏｗ  Ｃｈｅｍｉｃａｌ（Ｍｉｄｌａｎｄ，Ｍｉｃｈ．，ＵＳＡ）から供給された。
【０１７０】
酵素Ｓａｖｉｎａｓｅ（登録商標）、Ｓａｖｉｎａｓｅ（登録商標）Ｕｌｔｒａ、Ｓｔａｉｎｚｙｍｅ（登録商標）Ｐｌｕｓ、Ｌｉｐｅｘ（登録商標）、Ｌｉｐｏｌｅｘ（登録商標）、Ｌｉｐｏｃｌｅａｎ（登録商標）、Ｃｅｌｌｕｃｌｅａｎ（登録商標）、Ｃａｒｅｚｙｍｅ（登録商標）、Ｎａｔａｌａｓｅ（登録商標）、Ｓｔａｉｎｚｙｍｅ（登録商標）、Ｓｔａｉｎｚｙｍｅ（登録商標）Ｐｌｕｓ、Ｔｅｒｍａｍｙｌ（登録商標）、Ｔｅｒｍａｍｙｌ（登録商標）ｕｌｔｒａ、及びＭａｎｎａｗａｙ（登録商標）は、Ｎｏｖｏｚｙｍｅｓ（Ｂａｇｓｖａｅｒｄ，Ｄｅｎｍａｒｋ）から入手することができる。
【０１７１】
酵素Ｐｕｒａｆｅｃｔ（登録商標）、ＦＮ３、ＦＮ４、及びＯｐｔｉｓｉｚｅは、Ｇｅｎｅｎｃｏｒ  Ｉｎｔｅｒｎａｔｉｏｎａｌ  Ｉｎｃ．（Ｐａｌｏ  Ａｌｔｏ，Ｃａｌｉｆｏｒｎｉａ，ＵＳ）から入手することができる。
【０１７２】
ダイレクトバイオレット９及び９９は、ＢＡＳＦ  ＤＥ（Ｌｕｄｗｉｇｓｈａｆｅｎ，Ｇｅｒｍａｎｙ）から入手することができる。
【０１７３】
ソルベントバイオレット１３は、Ｎｉｎｇｂｏ  Ｌｉｘｉｎｇ  Ｃｈｅｍｉｃａｌ  Ｃｏ．，Ｌｔｄ．（Ｎｉｎｇｂｏ，Ｚｈｅｊｉａｎｇ，Ｃｈｉｎａ）から入手することができる。
【０１７４】
増白剤は、Ｃｉｂａ  Ｓｐｅｃｉａｌｔｙ  Ｃｈｅｍｉｃａｌｓ（Ｂａｓｅｌ，Ｓｗｉｔｚｅｒｌａｎｄ）から入手することができる。
【０１７５】
任意の相互参照又は関連特許若しくは関連出願を包含する本明細書に引用されるすべての文献は、明確に除外ないしは別の方法で限定されない限り、そのすべてが本明細書中に参照により組み込まれる。いずれの文献の引用も、こうした文献が本願で開示又は特許請求されるすべての発明に対する先行技術であることを容認するものではなく、また、こうした文献が、単独で、あるいは他のすべての参照文献とのあらゆる組み合わせにおいて、こうした発明のいずれかを教示、示唆又は開示していることを容認するものでもない。更に、本文書において、用語の任意の意味又は定義の範囲が、参考として組み込まれた文書中の同様の用語の任意の意味又は定義と矛盾する場合には、本文書中で用語に割り当てられる意味又は定義に準拠するものとする。
【０１７６】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのようなすべての変更及び修正を添付の特許請求の範囲で扱うものとする。
【図１】
2015524015.tif 000016
【手続補正書】
【提出日】平成26年12月5日(2014.12.5)
【手続補正１】
【補正対象書類名】図面
【補正対象項目名】全図
【補正方法】変更
【補正の内容】
【図１】
2015524015.tif 000017
【国際調査報告】
2015524015.tif 000018
2015524015.tif 000019
2015524015.tif 000020